(57)【要約】  当該システムの利用者が携帯する携帯電話機１と、インターネットサーバ２とを具え、そのインターネットサーバ２が、携帯電話機１からの、利用者についてあらかじめ登録された種類の健康に関するその利用者の主観的評価情報および／または利用者の採取情報の入力並びに情報出力命令の入力が可能な入力画面を所定ホームページに表示する入力画面表示部２ｂと、携帯電話機１の利用者の情報とともに携帯電話機１から入力画面に入力された情報を蓄積するデータベース２ｃと、データベース２ｃに蓄積した情報を表示した情報表示画面を所定ホームページに表示するとともに、携帯電話機１または管理者から入力された情報出力命令に応じてその所定ホームページでの表示画面を入力画面から情報表示画面に切り替える情報表示画面表示部２ｄと、データベース２ｃに蓄積された情報の経時的変化状態を常時監視して、上記あらかじめ登録された種類の健康に関してその変化状態を複数種類に判定する情報変化状態監視部２ｅと、上記あらかじめ登録された種類の健康に関するあらかじめ蓄積した複数のメッセージのうちから、情報変化状態監視部２ｅが監視して判定した変化状態に応じた内容のメッセージを選択して、そのメッセージを含むメールを携帯電話機１に送信するメッセージメール送信部２ｆとを有してなる、リアルタイム情報収集・利用者支援システムである。これにより、ＥＭＡ理論に基づき利用者の情報をリアルタイムで収集・蓄積して利用者および管理者にリアルタイムで提供するシステムを、携帯性に優れ、低価格で構成でき、容易に情報の入力・確認ができ、プログラムの変更が容易なものとすることができる。【特許請求の範囲】
【請求項１】
当該システムの利用者が携帯する、ネットワークを介してホームページを閲覧可能な携帯電話機と、
携帯電話機に対するメール通信が可能なネットワークサーバと、を具え、
前記ネットワークサーバが、
あらかじめメールアドレスを登録された前記携帯電話機からの、前記利用者についてあらかじめ登録された種類の健康に関する前記利用者の主観的評価情報および／または前記利用者の採取情報の入力並びに情報出力命令の入力が可能な入力画面を前記所定ホームページに表示する入力画面表示部と、
前記携帯電話機の利用者の情報とともに前記携帯電話機から前記入力画面に入力された情報を蓄積するデータベースと、
前記データベースに蓄積した情報を表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部と、
前記データベースに蓄積された情報の経時的変化状態を監視して、前記あらかじめ登録された種類の健康に関してその変化状態を判定する情報変化状態監視部と、
前記あらかじめ登録された種類の健康に関するあらかじめ蓄積した複数のメッセージのうちから、前記情報変化状態監視部が監視して判定した変化状態に応じた内容のメッセージを選択して、そのメッセージを含むメールを前記携帯電話機に送信するメッセージメール送信部と、
前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部と、
を有してなる、リアルタイム情報収集・利用者支援システム。
【請求項２】
前記催促メール送信部は、毎日、所定時間幅の中のランダムな時間に前記情報催促メールを送信することを特徴とする、請求項１記載のリアルタイム情報収集・利用者支援システム。
【請求項３】
前記情報表示画面表示部は、前記携帯電話機から情報出力命令を入力された場合の前記情報表示画面を、前記管理者から情報出力命令を入力された場合の前記情報表示画面と比較して簡易なものとすることを特徴とする、請求項１記載のリアルタイム情報収集・利用者支援システム。
【請求項４】
前記入力画面表示部は、一送信で複数種類の情報の入力が可能な前記入力画面を表示することを特徴とする、請求項１記載のリアルタイム情報収集・利用者支援システム。
【請求項５】
前記ネットワークサーバは、前記情報変化状態監視部が監視して判定した変化状態が管理者への緊急連絡が必要な変化状態の場合に、あらかじめメールアドレスを登録された管理者の携帯電話機に緊急連絡メールを送信する緊急連絡メール送信部を有することを特徴とする、請求項１から４までの何れか記載のリアルタイム情報収集・利用者支援システム。
【請求項６】
携帯電話機に対するメール通信が可能なネットワークサーバを、
あらかじめメールアドレスを登録された前記携帯電話機からの、前記利用者についてあらかじめ登録された種類の健康に関する前記利用者の主観的評価情報および／または前記利用者の採取情報の入力並びに情報出力命令の入力が可能な入力画面を前記所定ホームページに表示する入力画面表示部、
前記携帯電話機の利用者の情報とともに前記携帯電話機から前記入力画面に入力された情報を蓄積するデータベース、
前記データベースに蓄積した情報を表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部、
前記データベースに蓄積された情報の経時的変化状態を監視して、前記あらかじめ登録された種類の健康に関してその変化状態を判定する情報変化状態監視部、
前記あらかじめ登録された種類の健康に関するあらかじめ蓄積した複数のメッセージのうちから、前記情報変化状態監視部が監視して判定した変化状態に応じた内容のメッセージを選択して、そのメッセージを含むメールを前記携帯電話機に送信するメッセージメール送信部、および
前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部として機能させるための、リアルタイム情報収集・利用者支援システム用サーバ制御プログラム。
【請求項７】
前記ネットワークサーバを、前記情報変化状態監視部が監視して判定した変化状態が管理者への緊急連絡が必要な変化状態の場合に、あらかじめメールアドレスを登録された管理者の携帯電話機に緊急連絡メールを送信する緊急連絡メール送信部としても機能させることを特徴とする、請求項６記載のリアルタイム情報収集・利用者支援システム用サーバ制御プログラム。
【発明の詳細な説明】
【技術分野】
【０００１】
この発明は、当該システムの利用者の主観的評価情報および／または前記利用者の採取情報を携帯電話機を利用してリアルタイムで収集および分析し、その結果に基づき携帯電話機を利用して、患者等の利用者を支援するシステムに関するとともに、そのシステムに用いられるサーバ制御プログラムに関するものである。
【背景技術】
【０００２】
医療機関での保険診療は対面を原則とするため、その受診回数は自ずと限定され、多くとも月に数回程度が限度である。その間の自覚的症状、特に気分や痛みなどの主観的評価情報は記憶に留めるか、日記などの記録に残して、次回受診時に担当医へ報告ということになる。また、糖尿病における血糖値や、気管支喘息におけるピークフロー値などの生体情報についても、通常は自宅での測定値を記録してそれを診療毎に持参し、必要な指導を受けることになる。このような場合、患者に精神・身体的に危機的状況が訪れていても担当医はそれに気づくすべがなく、時に致死的結果に至ることもある。一方、行動のコントロールという観点から見ると、糖尿病における食事・運動療法、禁煙指導における喫煙などは望ましい行動を強化する必要があり、過食症などの摂食障害における食行動については望ましくない行動の減少を強化しなければならない。しかし、これらいずれの場合においても、数週毎の受診時だけではこれらの行動の強化を十分に行うことができないことが、行動のコントロール不足の一因となっている。【０００３】
そこで、上記問題の解決のためにはまず痛みや不安といった主観的評価情報や、特定の行動（喫煙、食行動など）を精緻に記録する必要が生じるが、これらの記録は、従来は記憶に頼っており、1日分をまとめて記載するなどの方法を採っていた。しかし、記憶は時間の経過につれて不確かとなり、1日分まとめての記載では信頼性に乏しいという問題があった。また記憶は歪められ易く、特に臨床現場では自分に不都合な記憶（不快な症状）は大きくクローズアップされて語られ易いという傾向があり、これでは患者の真の状態は把握できない。このため、これを補うものとして近年、Ecologi-cal Momentary Assessment（ＥＭＡ）という理論が提唱された。このＥＭＡとは、現象を日常生活下で、その瞬間に評価および記録するという理論で、記憶によるバイアスを避けることによって妥当性を最大にするものである。すなわちＥＭＡ理論は、上述の如き情報を記憶に頼らず、その時々にリアルタイムに収集しようとするものである。【０００４】
ところで、主観的評価情報ではなく生体情報を収集するシステムとしては従来、例えば特許文献１記載の医療情報収集システムが知られており、このシステムは、ネットワークに接続されたサーバの役割をする医療情報収集装置が、患者に接続した医療ポンプや医療機器の情報をほぼリアルタイムで収集・蓄積し、それらの情報を院内ＬＡＮ等のネットワークを介して医局やナースステーションのコンピュータのブラウザの画面で閲覧可能にするとともに、異常値の発生を検出・判断してその画面に表示するものである。【０００５】
また、生体情報を収集するシステムとしては従来、例えば特許文献２記載の医療情報提供システムも知られており、このシステムは、患者に装着した生体情報センサからのデータを携帯電話機を介してサーバで収集・蓄積し、そのデータに基づく医療情報を患者の携帯電話機に送信するとともに、異常値の発生を検出・判断して医者の情報端末に連絡するものである。【０００６】
さらに、ＥＭＡ理論を用いたものとしては従来、例えば特許文献３記載の生体情報収集システムが知られており、このシステムは、腕時計型の携帯型情報収集装置で生体情報を収集および記録し、定期的および生体情報の大きな変化時に気分や精神状態についての質問を画面表示して、装着者に入力させた回答を精神情報として記録し、それらの情報をコンピュータで読み出し可能にしたものである。
【特許文献１】特開２００４−０８１６８２
【特許文献２】特開２００４−０４９３４５
【特許文献３】特開２００３−２９０１７６
【発明の開示】
【発明が解決しようとする課題】
【０００７】
しかしながら、上記特許文献１記載の医療情報収集システムや上記特許文献３記載の生体情報収集システムでは、医療ポンプや医療機器を接続したり、質問を入力したりする情報収集装置が必要となり、従来は、汎用の携帯型コンピュータや、ＰＤＡ（パーソナル・データ・アシスタント）、腕時計型の専用装置等を用いていたが、次のような問題がある。
（１）携帯型コンピュータ等は携帯性に乏しく、真のリアルタイム性に欠ける。
（２）通信機能がないため、リアルタイムに収集した情報でも、結局ある期間まとめての評価となる。
（３）プログラムの変更は、機種ごとに行わなければならない。
（４）装置が高価であり、多数の対象者に用いることは困難である。【０００８】
また、上記特許文献２記載の装置では、市販の携帯電話機をデータの送信と情報の受信に用いているので、常時通信に使用でき、しかも安価にシステムを構成し得るものの、生体情報センサからのデータを携帯電話機に入力して送信するために、専用のプログラムを準備する必要があり、プログラムの変更は、機種ごとに行わなければならないという問題が残っている。
【課題を解決するための手段】
【０００９】
この発明は、上記課題を有利に解決することを目的とするものであり、この発明のリアルタイム情報収集・利用者支援システムは、当該システムの利用者が携帯する、ネットワークを介してホームページを閲覧可能な携帯電話機と、携帯電話機に対するメール通信が可能なネットワークサーバと、を具え、前記ネットワークサーバが、あらかじめメールアドレスを登録された前記携帯電話機からの、前記利用者についてあらかじめ登録された種類の健康に関する前記利用者の主観的評価情報および／または前記利用者の採取情報の入力並びに情報出力命令の入力が可能な入力画面を前記所定ホームページに表示する入力画面表示部と、前記携帯電話機の利用者の情報とともに前記携帯電話機から前記入力画面に入力された情報を蓄積するデータベースと、前記データベースに蓄積した情報を表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部と、前記データベースに蓄積された情報の経時的変化状態を監視して、前記あらかじめ登録された種類の健康に関してその変化状態を判定する情報変化状態監視部と、前記あらかじめ登録された種類の健康に関するあらかじめ蓄積した複数のメッセージのうちから、前記情報変化状態監視部が監視して判定した変化状態に応じた内容のメッセージを選択して、そのメッセージを含むメールを前記携帯電話機に送信するメッセージメール送信部と、前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部と、を有していることを特徴とするものである。なお、この発明における「携帯電話機」は、ＮＴＴ−ＤＯＣＯＭＯ（会社名）等が携帯電話サービスを提供する通常の携帯電話機の他、ＰＨＳ（パーソナル・ハンディーフォン・システム）電話機も含んでいる。【００１０】
また、この発明のリアルタイム情報収集・利用者支援システム用サーバ制御プログラムは、上記リアルタイム情報収集・利用者支援システムに用いることができるもので、携帯電話機に対するメール通信が可能なネットワークサーバを、あらかじめメールアドレスを登録された前記携帯電話機からの、前記利用者についてあらかじめ登録された種類の健康に関する前記利用者の主観的評価情報および／または前記利用者の採取情報の入力並びに情報出力命令の入力が可能な入力画面を前記所定ホームページに表示する入力画面表示部、前記携帯電話機の利用者の情報とともに前記携帯電話機から前記入力画面に入力された情報を蓄積するデータベース、前記データベースに蓄積した情報を表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部、前記データベースに蓄積された情報の経時的変化状態を監視して、前記あらかじめ登録された種類の健康に関してその変化状態を判定する情報変化状態監視部、前記あらかじめ登録された種類の健康に関するあらかじめ蓄積した複数のメッセージのうちから、前記情報変化状態監視部が監視して判定した変化状態に応じた内容のメッセージを選択して、そのメッセージを含むメールを前記携帯電話機に送信するメッセージメール送信部、および、前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部として機能させるためのものである。
【発明の効果】
【００１１】
かかるリアルタイム情報収集・利用者支援システムおよびそれに用いられるサーバ制御プログラムによれば、携帯電話機に対するメール通信が可能なネットワークサーバの催促メール送信部が、当該システムの利用者の、その利用者が携帯するホームページ閲覧可能な携帯電話機であって上記ネットワークサーバにあらかじめメールアドレスを登録された携帯電話機に、あらかじめ登録された種類の健康に関して情報取得が必要な所定タイミングで、上記ネットワークサーバが提供する所定ホームページの入力画面のアクセス先を表示した情報催促メールを送信し、上記利用者がその情報催促メールを受信して、上記ネットワークサーバにメールアドレスを登録されたその利用者の携帯電話機から、上記情報催促メールに表示された上記ネットワークサーバが提供するホームページの入力画面のアクセス先のアドレスを入力し送信すると、そのネットワークサーバの入力画面表示部が、上記利用者についてあらかじめ登録された種類の健康（うつ病、喘息、糖尿病など）に関するその利用者の主観的評価情報（頭痛の程度、食欲の程度、抑うつ感の程度など）および／またはその利用者の採取情報（呼吸のピークフロー値、朝からすったタバコの本数、血糖値など）の入力並びに情報出力命令の入力が可能な入力画面を上記所定ホームページに表示して、その携帯電話機の画面で閲覧可能にする。【００１２】
これにより上記利用者が、その携帯電話機の画面に表示された入力画面から主観的評価情報および／またはその利用者の採取情報を数値で、または数値化して入力して送信すると、その数値情報を上記ネットワークサーバのデータベースが蓄積し、さらに、上記利用者が上記携帯電話機から上記入力画面に、例えばその画面に表示したボタンの操作等で情報出力命令を入力するか、あるいは上記利用者が患者である場合の担当医等の管理者がその管理者のコンピュータ等から情報出力命令を入力すると、そのネットワークサーバの情報表示画面表示部が、その入力された情報出力命令に応じて上記所定ホームページでの表示画面を入力画面から、上記データベースに蓄積した数値情報を表示した情報表示画面に切り替えて、上記利用者の携帯電話機の画面上や、管理者の携帯電話やコンピュータ等の画面上でその情報表示画面を閲覧可能とする。【００１３】
さらに、上記ネットワークサーバの情報変化状態監視部が、上記データベースに蓄積された情報の経時的変化状態を監視して、あらかじめ登録された種類の健康に関してその変化状態を判定し、上記ネットワークサーバのメッセージメール送信部が、あらかじめ登録された種類の健康に関するあらかじめ蓄積した複数のメッセージのうちから、上記情報変化状態監視部が監視して判定した変化状態に応じた内容のメッセージを選択し、そのメッセージを含むメールを前記携帯電話機に送信して、上記利用者の環境に介入する。【００１４】
従って、この発明のリアルタイム情報収集・利用者支援システムおよびそれに用いられるサーバ制御プログラムによれば、ＥＭＡ理論に基づき、利用者の任意の時点でない、あらかじめ利用者について登録された種類の健康に関して知ることが必要な時点での信頼性の高い情報をリアルタイムに時系列で収集し蓄積して利用者および管理者にその時系列データをリアルタイムで提供することができ、さらにその蓄積した信頼性の高い情報に基づく精度の高い評価結果を管理者から利用者に提供することができる。また、情報入力および蓄積した情報の表示を市販の安価な携帯電話機の画面に表示したホームページの画面上で行うので、携帯性に優れ、システムを低価格で構成でき、児童や高齢者や障害者等だれでも容易に情報入力および情報確認を行うことができる。そして情報の収集・蓄積や変化状態の監視はネットワークサーバ側で行うので、プログラムの変更が必要な場合にネットワークサーバ内のプログラム変更だけで済み、プログラムの変更を容易に行うことができる。【００１５】
しかも、この発明のリアルタイム情報収集・利用者支援システムによれば、利用者からの情報の経時的変化状態を監視して判定し、その判定した変化状態に応じた内容のメッセージメールを携帯電話機に送信して利用者の環境に介入するので、利用者の治療や教育等の支援の効果を高めることができる。【００１６】
さらに、この発明のリアルタイム情報収集・利用者支援システムによれば、上記ネットワークサーバの催促メール送信部が、あらかじめメールアドレスを登録された携帯電話機に、あらかじめ登録された種類の健康に関して情報取得が必要な所定タイミングで、所定ホームページの入力画面のアクセス先を表示した情報催促メールを送信するので、ＥＭＡ理論に基づき、あらかじめ登録された種類の健康に関して情報取得が必要な所定タイミングで利用者から有意義な情報を収集することができる。このような、所定タイミングでの情報取得が必要な情報としては、例えば糖尿病患者の場合の、朝食前および夕食前の血糖値およびインスリン注射量、朝食、昼食および夕食時後の食事量の評価、そして就寝前までの運動量（例えば歩数計で計測したその日の歩数）があり、また気管支喘息患者の場合の、起床時と昼時と夕方との発作の有無および程度と、起床時と夕方とのピークフロー値（ＰＥＦ）およびステロイド吸入回数があり、さらに、禁煙指導を行っている人の場合の、１日２〜３回の所定時のタバコを吸いたい気分の評価と、就寝前のその日に吸ったタバコの本数などがある。【００１７】
なお、この発明のリアルタイム情報収集・利用者支援システムにおいては、前記催促メール送信部は、毎日、所定時間幅の中のランダムな時間に前記情報催促メールを送信するものでも良く、このようにすれば、利用者が待機して調整したのでない生の情報を利用者から得ることができる。【００１８】
また、この発明のリアルタイム情報収集・利用者支援システムにおいては、前記情報表示画面表示部は、前記携帯電話機から情報出力命令を入力された場合の前記情報表示画面を、前記管理者から情報出力命令を入力された場合の前記情報表示画面と比較して簡易なものとしても良く、このようにすれば、管理者は携帯電話機やネットワークに接続可能なコンピュータ等で詳細な情報を確認し得る一方、利用者は携帯電話機の画面でいつでも容易に情報を確認することができる。【００１９】
さらに、この発明のリアルタイム情報収集・利用者支援システムにおいては、前記入力画面表示部は、一送信で複数種類の情報の入力が可能な前記入力画面を表示するものであっても良く、このようにすれば、複数種類の情報を同時に収集し得て、利用者の支援の効果をより高めることができる。【００２０】
さらに、この発明のリアルタイム情報収集・利用者支援システムにおいては、前記ネットワークサーバは、前記情報変化状態監視部が監視して判定した変化状態が管理者への緊急連絡が必要な変化状態の場合に、あらかじめメールアドレスを登録された管理者の携帯電話機に緊急連絡メールを送信する緊急連絡メール送信部を有していても良く、このようにすれば、緊急連絡メール送信部が、情報変化状態監視部が監視して判定した変化状態が管理者への緊急連絡が必要な変化状態の場合に自動的に管理者の携帯電話機に緊急連絡メールを送信するので、管理者のコンピュータに送信する場合よりも早期にかつ確実に管理者に緊急事態を知らせることができる。【００２１】
そして、この発明のリアルタイム情報収集・利用者支援システム用サーバ制御プログラムは、前記ネットワークサーバを、前記データベースに蓄積された情報の変化状態に基づき管理者への緊急連絡が必要か否かを判断し、管理者への緊急連絡が必要と判断した場合に、あらかじめメールアドレスを登録された管理者の携帯電話機に緊急連絡メールを送信する緊急連絡メール送信部としても機能させるものでも良く、このようにすれば、管理者の携帯電話機に緊急連絡メールを送信するので、管理者のコンピュータに送信する場合よりも早期にかつ確実に管理者に緊急事態を知らせることができる。【００２２】
上記のように構成したこの発明のリアルタイム情報収集・利用者支援システムは、例えば以下の如き分野に適用することができる。
Ｉ．医療分野
（１）精神・神経分野
主観的な情報の把握が最も重要な分野である。通常は数週毎に主治医の元へ通院し、その間の出来事やそれに伴う気分の変動などを記憶に頼って話す。しかしながら、患者の印象に残っている事象は話せても、細かな気分の変動などは記憶が薄れ正確に伝えることが困難である。これに対し、この発明のシステムにおける携帯電話機からの入力で日々の不安や気分の変動をリアルタイムで記録すれば、主治医（担当医）はより正確な精神状態の変動を把握することができ、それらと日々の出来事との関連をみることができる。また、服薬状況を併せて入力するようにすれば、服薬のコンプライアンスや、薬剤の効果をより正確に評価することができる。【００２３】
（２）禁煙指導
禁煙指導は、個人のレベルのみならず、種々の職場や学校教育においても、個人の健康を保ち環境の保護を行う上で今なお重要な課題である。医療機関においても禁煙外来を設置して個別に取り組んでいるが、脱落例も少なくなく、必ずしも十分な効果を上げているとはいえない。その要因の一つとしては、禁煙の確認と励ましとが２から４週毎の受診時に限られ、その間の脱落という危険性を払拭しきれないことが挙げられる。これに対し、この発明のシステムを用いて、「たばこを吸えない辛い気持ち」、「禁煙できたか否か」、「吸ってしまったときの本数」などを日々入力すれば、その日その日の達成感を確認することができ、脱落防止に寄与すると考えられる。また、後述する介入モデルを併用して、一定期間禁煙が守れれば、それを賞賛するメールが自動的に届くようにすることで、さらなる励みとなる。【００２４】
（３）糖尿病教育・管理
糖尿病も特に初期には自覚症状がなく、血糖コントロールの管理に困難を来すことが多い。そこで、この発明のシステムの利用法として、例えば食事療法や、運動療法がどのくらいできたかを自己評価で点数化して日々入力すれば、自己コントロールの維持強化に役立つと考えられる。また、血糖が不安定な患者に対しては自己測定した血糖値を入力することで、よりきめの細かい、しかもリアルタイムの指導を行うことができる。栄養指導に関しては、三食をそれぞれ携帯電話機のカメラで撮影し、それをホームページの画面に添付して送ることで、病院栄養士によるより正確なカロリー計算を行うことも可能である。【００２５】
（４）気管支喘息管理
気管支喘息患者の管理には、ピークフロー値（患者がピークフローメータに呼気を吹き込んで測定する最大呼気流速度）という簡易な呼吸機能指標を日々測定し、その推移を薬物療法の評価や患者指導に利用する。通常は喘息日記に記載して、診察毎に医師がチェックを行うが、喘息は時として致死的になることがあるため、診察時では手遅れになることもある。そこでこの発明のシステムを用いて、ピークフロー値を日々入力・把握することで、不安定な患者の症状の悪化を早期に把握することが可能となる。【００２６】
（５）疼痛の評価
種々の原因による疼痛も、主観的な要素が強い愁訴の代表である。疼痛についてはスコア化して疼痛日記などとして評価されることが多いが、例えば１日１回その日の代表値を記載するやり方では１日の平均値となり、メリハリに乏しくなる。これに対して、この発明のシステムを用いて、１日何回かリアルタイムで疼痛の程度値を入力することで、疼痛についての日内変動も含めたより詳細な情報を収集することができ、疼痛の悪化・寛解する他の状況との対比もし易くなる。このように、この発明のシステムは疼痛対策を立てる上でも有用性がある。【００２７】
（６）薬剤の副作用チェック
薬剤には比較的希な副作用と、薬剤によって出現しやすい副作用とがある。後者の代表が、ウィルス性肝炎の治療に用いるインターフェロンによるうつ症状である。これはあまりに有名な副作用であるが、投与開始後どの時期から気分障害が発症するかについては、実証的なデータは極めて乏しい。そこで、投与開始後からこの発明のシステムを用いて気分の変動をモニターすることで、抑うつの早期発見をすることが期待できる。また、新規薬剤の治験時に用いることで、開発段階からより正確な副作用の把握を行うことが可能となる。【００２８】
II．保健分野
老人保健分野では、この発明のシステムは、特に独居老人の健康維持、見守りに利用することができる。地域保健所などで対象者を一括登録し、１日に１回程度、体調を尋ねるメールを送る。対象者が多くなれば、問題となるような数値を入力・送信した対象者や、一定期間回答がない対象者などを自動的にピックアップするシステムを併用することで、管理者の大きな負担なく至急に連絡を取るべき対象者を選び出すことができる。高齢者は一般的に携帯電話機の扱いは不得手であるが、この発明のシステムにおける携帯電話機の操作は、ホームページ画面からの入力ゆえ簡便であり、また、高齢者用の携帯電話機を用いることで、ボタン操作の困難さなどは解消することができる。【００２９】
III.福祉分野
障害者福祉の分野でも利用が期待できる。施設に入所していない障害者に対しては、日々継続的な見守りが必要であるが、この発明のシステムを用いることでそれが可能となる。障害者の場合、携帯電話機の操作が可能か懸念が持たれるが、この発明のシステムにおける携帯電話機の操作は、ホームページ画面からの入力ゆえ簡易であるため、携帯電話機の画面の文字を大きくし、入力項目を最小限とし、また必要に応じて高齢者用の携帯電話機を用いることで、十分に利用が可能となる。【００３０】
IV．学校教育分野
不登校や引きこもり、あるいは大学生等の五月病対策にも利用することができる。入学時や新学期などに、何らかのスクリーニングをして、これらの状態に陥る危険性のある生徒や学生が特定できれば、そのような生徒・学生にこの発明のシステムを適用することで、不登校等の兆候の早期発見に用いることができる。引きこもりに陥った場合でも、この発明のシステムにおける携帯電話機で状態を入力して報告し続けてもらうことで、生徒・学生側に学校と繋がっているという意識が保たれ、また、休んでいる間でも普段の体調や精神状態等の推移を知ることができ、問題解決の糸口が発見できる可能性がある。【００３１】
Ｖ．動物愛護分野
この発明のシステムはヒトのみならず、例えば病気にかかったペットの体調を獣医師に報告する方法としても利用できる。その際のメールの送信時刻は、ランダムでなく、定時送信でよいと思われる。全国的に見ても種々のペット愛好者は多く、その健康管理にはかなりの時間を割いていると考えられるため、この発明のシステムにおける携帯電話機で状態を入力することで容易に獣医師に状況報告ができると、利用者は相当数見込まれ、この分野での利用拡大が期待できる。【００３２】
この発明のシステムは、単にデータ収集のみを行うのでなく、収集されたデータに応じて上記ネットワークサーバのメッセージメール送信部や緊急連絡メール送信部に、例えば用途別に一定のアルゴリズムに基づいて、利用者に役立つ内容のメールを送信させており、このような機能を本願発明者は「介入モデル」と呼ぶことにする。この介入モデルは、望ましい行動の強化と、危機的状況への介入の２つに大別される。
（１）望ましい行動の強化
禁煙行動、糖尿病における食事療法・運動療法などが適応例となる。いくら望ましい行動を続けても、担当医によってそれが評価され、強化されるのはおおむね数週間毎の受診時に限られる。その間の行動の確認とそれに対する医師からの強化メッセージはなく、このことが禁煙からの脱落、食事・運動療法の維持の困難さの要因の一つと考えられる。この発明のシステムではメッセージメール送信部が、一定期間望ましい行動が続いた際には、その行動を賞賛するメッセージを自動的にメールで送るようにプログラムされているので、望ましい行動の強化に役に立つ。送られたメールは定型的で、例えそれが自動発信されたものであっても、患者は医療機関との繋がりを意識できるので、受診時毎の評価のみに比べると、望ましい行動のさらなる強化を十分に期待することができる。また、飲酒や食行動異常など望ましくない行動の減少を強化することも、プログラムを工夫すれば充分対応可能である。【００３３】
（２）危機的状況への介入
抑うつ気分の急激な進行、血糖値の急激な上昇または低血糖の頻発、気管支喘息におけるピークフロー値の急激な低下、など致死的状況にいたることが予想される場合には、対象者に直接連絡を取り、可能な限り早期の介入を図ることが必要である。このためこの発明のシステムでは、管理者が遅滞なく介入可能なように、緊急連絡メール送信部が異常値を自動的に検出すべく情報を常時監視している。
【図面の簡単な説明】
【００３４】
【図１】この発明のサーバ制御プログラムの一実施例を用いた、この発明のリアルタイム情報収集・利用者支援システムの一実施例としてのリアルタイム主観的情報収集・患者支援システムの構成を示すブロック線図である。
【図２】上記実施例のリアルタイム主観的情報収集・患者支援システムの作動を示すフローチャートである。
【図３】（ａ），（ｂ）は、上記実施例のリアルタイム主観的情報収集・患者支援システムの入力画面の例を示す説明図である。
【図４】上記実施例のリアルタイム主観的情報収集・患者支援システムの適用結果の例を示すグラフである。
【図５】上記実施例のリアルタイム主観的情報収集・患者支援システムの適用結果の他の例を示すグラフである。
【図６】上記実施例のリアルタイム主観的情報収集・患者支援システムの適用結果のさらに他の例を示すグラフである。
【符号の説明】
【００３５】
１，３  携帯電話機
２  インターネットサーバ
２ａ  高速通信用モデム
２ｂ  入力画面表示部
２ｃ  データベース
２ｄ  情報表示画面表示部
２ｅ  情報変化状態監視部
２ｆ  メッセージメール送信部
２ｇ  催促メール送信部
２ｈ  緊急連絡メール送信部
Ｉ  インターネット
【発明を実施するための最良の形態】
【００３６】
以下、本発明の実施の形態を実施例によって、図面に基づき詳細に説明する。ここに、図１は、この発明のサーバ制御プログラムの一実施例を用いた、この発明のリアルタイム情報収集・利用者支援システムの一実施例としてのリアルタイム主観的情報収集・患者支援システムの構成を示すブロック線図、図２は、その実施例のリアルタイム主観的情報収集・患者支援システムの作動を示すフローチャートである。【００３７】
この実施例のリアルタイム主観的情報収集・患者支援システムは、頭痛を訴える患者の支援のために用いたもので、図１に示すように、当該システムの利用者である患者が携帯する、ネットワークの一種であるインターネットＩを介してホームページを閲覧可能な市販の通常の携帯電話機１と、市販の携帯電話機に対するメール通信が可能な、ネットワークサーバの一種である通常のインターネットサーバ２と、管理者としての、その患者の主治医が携帯する、これもインターネットＩを介してホームページを閲覧可能な市販の携帯電話機３とを具えており、そのインターネットサーバ２は、ＡＤＳＬや光通信等による高速通信が可能な高速通信用モデム２ａに加えて通常のコンピュータを有していて、あらかじめ与えられたプログラム（例えばマイクロソフト社のデータベースソフトウェアである商品名「Microsoft Access」など）に基づくそのコンピュータの作動により、機能的には、入力画面表示部２ｂと、データベース２ｃと、情報表示画面表示部２ｄと、情報変化状態監視部２ｅと、メッセージメール送信部２ｆと、催促メール送信部２ｇと、緊急連絡メール送信部２ｈとを有している。【００３８】
ここで、入力画面表示部２ｂは、あらかじめメールアドレスを登録された携帯電話機１からの、上記患者についてあらかじめ例えばその患者の主治医からデータベース２ｃに登録された種類の、健康に関するその患者の主観的評価情報（頭痛の程度）の入力並びに情報出力命令の入力が可能な、例えば図３（ａ），（ｂ）に示す如き入力画面を所定アクセス先のアドレス（ＵＲＬ）の所定ホームページに表示して携帯電話機１で閲覧可能にする。この図３（ａ）に示す入力画面では、「０」と表示されている枠の右側の▽印のボタンを携帯電話機の操作で押すと図３（ｂ）に示すように０〜１０の数字が表示され、頭痛の程度に応じた数字を携帯電話機の操作で選択（図では「７」を選択）して押すとその数字がセットされるので、次に「送信」ボタンを携帯電話機の操作で選択して押すことで、頭痛の程度７という情報を入力して送信することができる。また、送信前に「リセット」ボタンを携帯電話機の操作で選択して押すことで、入力した情報をリセットすることができる。【００３９】
そしてデータベース２ｃは、携帯電話機１を利用している患者の氏名、年齢等の識別情報（ＩＤ）とともに、その患者についての上記登録された健康に関する情報の種類に対応する検査番号と、携帯電話機１から上記入力画面に入力された主観的評価情報の数値およびその入力時点（日時等）を示す情報とを蓄積し、情報表示画面表示部２ｄは、例えばそのデータベース２ｃが蓄積した情報を時系列的に並べて数値で表した情報表示画面と、その蓄積した情報の経時的変化状態をグラフで表した情報表示画面とを上記所定ホームページで同一ページにまたは二ページに分けて表示するとともに、患者の携帯電話機１の上記入力画面の「履歴」の文字をその携帯電話機１の操作で選択して押すことでその入力画面に入力された情報出力命令または、上記主治医の持つ携帯電話機３から入力された情報出力命令に応じて、上記所定ホームページでの表示画面を上記入力画面から上記情報表示画面に切り替える。【００４０】
さらに情報変化状態監視部２ｅは、データベース２ｃに蓄積された情報の経時的変化状態を常時監視して、上記あらかじめ登録された種類の健康に関してその変化状態を、あらかじめ基準を定められた複数種類の判定結果のうちの何れかに、その基準に基づいて判定し、メッセージメール送信部２ｆは、上記あらかじめ登録された種類の健康に関するあらかじめ蓄積した複数のメッセージのうちから、情報変化状態監視部２ｅが監視して判定した変化状態に応じた内容のメッセージを後述のように選択して、そのメッセージを含むメールを高速通信用モデム２ａを介して患者の携帯電話機１に送信し、催促メール送信部２ｇは、患者の携帯電話機１に、上記あらかじめ登録された種類の健康に関して情報取得が必要な所定タイミングで、上記所定アクセス先のホームページの、その患者に関してあらかじめ登録された前述の識別情報（ＩＤ）および健康に関する情報の種類（検査番号）に対応するその患者用の入力画面のアドレス（ＵＲＬ）を表示した情報催促メールを送信して、患者がそのアクセス先の文字を携帯電話機１の操作で選択して押すだけで、その入力画面が携帯電話機１の画面上に表示されるようにする。
なお、このような所定タイミングでの取得が必要な情報としては、例えば前述した糖尿病患者の場合の、朝食前および夕食前の血糖値およびインスリン注射量、朝食、昼食および夕食時後の食事量の評価、そして就寝前までの運動量（例えば歩数計で計測したその日の歩数）があり、また気管支喘息患者の場合の、起床時と昼時と夕方との発作の有無および程度と、起床時と夕方とのピークフロー値（ＰＥＦ）およびステロイド吸入回数があり、さらに、禁煙指導を行っている人の場合の、１日２〜３回の所定時のタバコを吸いたい気分の評価と、就寝前のその日に吸ったタバコの本数などがある。【００４１】
そして緊急連絡メール送信部２ｈは、情報変化状態監視部２ｅが監視して判定した変化状態が上記主治医への緊急連絡が必要な変化状態の場合に、高速通信用モデム２ａを介して上記主治医の携帯電話機３に緊急連絡メールを送信する。【００４２】
かかる実施例のリアルタイム主観的情報収集・患者支援システムは、図２に示す如く作動する。すなわち先ず、インターネットサーバ２の催促メール送信部２ｇが、上述の如きあらかじめ登録された種類の健康に関して情報取得が必要な所定タイミングで、すなわち例えば毎日、所定時間幅の中のランダムな時間に、上記所定アクセス先のホームページの入力画面のアドレス（ＵＲＬ）を表示した情報催促メールを患者の携帯電話機１に発信し（ステップＳ１）、患者の携帯電話機１がその情報催促メールを受信する（ステップＳ２）。これにより患者の操作で、患者の携帯電話機１がそのメールに表示されたホームページのＵＲＬをインターネットサーバ２に送信すると（ステップＳ３）、インターネットサーバ２の入力画面表示部２ｂがホームページ上の入力画面のデータを患者の携帯電話機１に送信し（ステップＳ４）、患者の携帯電話機１が画面上にそのホームページ上の、上記あらかじめ登録された種類の健康に関する情報の入力画面を表示する（ステップＳ５）。【００４３】
これにより患者の操作で、患者の携帯電話機１が患者の主観的評価情報を数字で入力し、インターネットサーバ２に送信すると（ステップＳ６）、インターネットサーバ２のデータベース２ｃがそれを受信して、携帯電話機１を利用している患者の氏名、年齢等の識別情報とともに、携帯電話機１から上記入力画面に入力された主観的評価情報の数値とその入力時点を示す情報を蓄積する（ステップＳ７）。この情報の受信により、インターネットサーバ２の情報表示画面表示部２ｄは、例えばそのデータベース２ｃが蓄積した情報を時系列的に並べて数値で表した情報表示画面と、その蓄積した情報の経時的変化状態をグラフで表した情報表示画面とを上記所定ホームページで同一ページにまたは二ページに分けて表示するように、それらの情報表示画面を新規であれば作成し、既に作ってあれば更新して上記所定ホームページに表示する（ステップＳ８）。【００４４】
そして患者の操作で、患者の携帯電話機１がホームページ上の入力画面から情報出力命令を入力し、インターネットサーバ２に送信すると（ステップＳ９）、インターネットサーバ２の情報表示画面表示部２ｄが、上記所定ホームページ上の表示画面を切り替えるために、上記作成または更新した情報表示画面のデータを患者の携帯電話機１に送信し（ステップＳ１０）、患者の携帯電話機１が画面上にそのホームページ上の画面として、例えば上記蓄積した情報の経時的変化状態をグラフで表した情報表示画面のみを表示する（ステップＳ１１）。また情報表示画面表示部２ｄは、上記主治医の携帯電話機３から情報出力命令が入力された場合にも（ステップＳ１２）、その情報出力命令に応じて、上記所定ホームページでの表示画面を上記入力画面から上記情報表示画面であって、例えば上記蓄積した情報を時系列的に並べて数値で表した情報表示画面とその蓄積した情報の経時的変化状態をグラフで表した情報表示画面とを二ページで持つような、主治医用のより詳細なものに切り替えて表示する（ステップＳ１３）。なお、パーソナルコンピュータから上記ホームページにアクセスする場合など、表示画面が広い場合には、例えば上記蓄積した情報を時系列的に並べて数値で表した情報表示画面とその蓄積した情報の経時的変化状態をグラフで表した情報表示画面とを一ページで表示することもできる。【００４５】
さらに、インターネットサーバ２の情報変化状態監視部２ｅが、データベース２ｃに蓄積された情報の経時的変化状態を常時監視して、上記あらかじめ登録された種類の健康に関してその経時的変化状態を、例えば受信した数値が所定回数続けて所定の上側閾値以上大きかったら悪い変化、所定回数続けて所定の下側閾値以上小さかったら良い変化というように、あらかじめ基準を定められた複数種類の判定結果のうちの何れかにその基準に基づいて判定し（ステップＳ１５）、インターネットサーバ２のメッセージメール送信部２ｆが、上記あらかじめ登録された種類の健康に関するあらかじめ蓄積した複数のメッセージのうちからその判定された変化状態に応じてメッセージを選択して、良い変化の場合は例えば「良くできましたね」といった賞賛メールを患者の携帯電話機１に高速通信用モデム２ａを介して送信し（ステップＳ１６）、患者の携帯電話機１が画面上にその賞賛メールを表示する（ステップＳ１７）。また、悪い変化の場合は、さらに情報変化状態監視部２ｅが、上記主観的情報の受信により蓄積された情報の経時的変化状態から上記主治医への緊急連絡が必要な緊急事態であるか否かを、例えば受信した数値が所定の上限閾値以上大きいか否かで判定し（ステップＳ１８）、緊急事態でなければメッセージメール送信部２ｆが、例えば「がんばりましょう」といった励ましメールを患者の携帯電話機１に高速通信用モデム２ａを介して送信し（ステップＳ１９）、患者の携帯電話機１が画面上にその励ましメールを表示する（ステップＳ２０）。【００４６】
この一方、情報変化状態監視部２ｅが、上記主治医への緊急連絡が必要であると判定した場合には、インターネットサーバ２の緊急連絡メール送信部２ｈが、その主治医に緊急対応を求めるために上記主治医の携帯電話機３に高速通信用モデム２ａを介して緊急連絡メールとしての緊急対応要請メールを送信し（ステップＳ２１）、主治医の携帯電話機３が画面上にその緊急対応要請メールを表示する（ステップＳ２２）。その際緊急連絡メール送信部２ｈはまた、患者を安心させるために患者の携帯電話機１に高速通信用モデム２ａを介して緊急連絡メールとしての緊急事態確認済メールを送信し（ステップＳ２３）、患者の携帯電話機１が画面上にその緊急事態確認済メールを表示する（ステップＳ２４）。【００４７】
図４は、睡眠時間が短くなると夕方に疲れた感じが強くなる「印象」がある、という人に、この実施例のリアルタイム主観的情報収集・患者支援システムを用いて、睡眠時間（時間：朝入力）と、夕方の疲労感（１１段階評価：夕方入力）とを日々入力してもらった結果を示すグラフである。この図から明らかなように、睡眠時間が長ければ疲労感は低く、短くなれば疲労感が増大するという関係が容易に理解できる。この結果から、疲労感を少なくするためには、夜更かしをしないで、できるだけ睡眠時間を確保することが必要であるという指導を、単にそのような「印象」だけよりは、説得力をもって行うことができる。この実施例のリアルタイム主観的情報収集・患者支援システムの効果を如実に示した例である。
また、図５は、インターフェロン使用中の患者の抑うつ状態の変化を、この実施例のリアルタイム主観的情報収集・患者支援システムを用いてモニターした結果を示すグラフであり、図中矢印はインターフェロンの注射日を示す。このグラフから、インターフェロンの注射が患者のゆううつ感を強めることが判り、適切な対策をとることができる。
さらに、図６は、禁煙指導を受けている患者の喫煙衝動と１日の喫煙本数とを、この実施例のリアルタイム主観的情報収集・患者支援システムを用いてモニターした結果を示すグラフであり、治療にはニコチン貼付薬を使用している。このグラフから、喫煙衝動の推移が正確に判り、それを治療に反映させることができる。なお、上記ホームページは、この図６のように、複数の情報の経時的変化状態のグラフを並べて表示することもできる。【００４８】
かくしてこの実施例のリアルタイム主観的情報収集・患者支援システムによれば、ＥＭＡ理論に基づき患者のその時々の信頼性の高い主観的評価情報をリアルタイムに時系列で収集し蓄積して患者および主治医にその時系列データをリアルタイムで提供することができ、さらにその蓄積した信頼性の高い主観的評価情報に基づく精度の高い診断結果を主治医から患者に提供することができる。また、情報入力および蓄積した情報の表示を市販の安価な携帯電話機１の画面に表示したホームページの画面上で行うので、携帯性に優れ、システムを低価格で構成でき、患者が児童や高齢者や障害者等の場合でも容易に情報入力および情報確認を行うことができる。そして主観的情報の収集・蓄積や経時的変化状態の監視はインターネットサーバ２側で行うので、プログラムの変更が必要な場合にインターネットサーバ２内のプログラム変更だけで済み、プログラムの変更を容易に行うことができる。【００４９】
しかも、この実施例のリアルタイム主観的情報収集・患者支援システムによれば、患者からの主観的評価情報の経時的変化状態を監視し、その変化状態に応じた内容の賞賛メールや励ましメールを携帯電話機１に送信して患者の環境に介入するので、患者の治療の支援の効果を高めることができる。【００５０】
さらに、この実施例のリアルタイム主観的情報収集・患者支援システムによれば、インターネットサーバ２は、あらかじめメールアドレスを登録された患者の携帯電話機１に上記あらかじめ登録された種類の健康に関して情報取得が必要な所定タイミングで、上記所定アクセス先のホームページの入力画面のアドレス（ＵＲＬ）を表示した情報催促メールを送信する催促メール送信部２ｇを具えているので、所定タイミングで患者から主観的評価情報を収集することができる。【００５１】
そして、この実施例のリアルタイム主観的情報収集・患者支援システムによれば、催促メール送信部２ｇは、毎日、所定時間幅の中のランダムな時間に情報催促メールを送信するので、患者が待機して調整したのでない生の主観的情報を患者から得ることができる。【００５２】
また、この実施例のリアルタイム主観的情報収集・患者支援システムによれば、情報表示画面表示部２ｄは、患者の携帯電話機１から情報出力命令を入力された場合の情報表示画面を、主治医から情報出力命令を入力された場合の情報表示画面と比較して簡易なものとするので、主治医は携帯電話機３の画面で詳細な情報を確認し得る一方、利用者は携帯電話機１の画面でいつでも容易に情報を確認することができる。【００５３】
さらに、この実施例のリアルタイム主観的情報収集・患者支援システムによれば、インターネットサーバ２は、データベース２ｃに蓄積された主観的評価情報の経時的変化状態に基づき主治医への緊急連絡が必要か否かを判定する情報変化状態監視部２ｅと、その情報変化状態監視部２ｅが主治医への緊急連絡が必要と判定した場合に、あらかじめメールアドレスを登録された主治医の携帯電話機３に緊急連絡メールを送信する緊急連絡メール送信部２ｈとを有していることから、緊急時に主治医の携帯電話機３に自動的に緊急連絡メールを送信するので、主治医のコンピュータに送信する場合よりも早期にかつ確実に管理者に緊急事態を知らせることができる。【００５４】
以上、図示例に基づき説明したが，この発明は上述の例に限定されるものでなく、特許請求の範囲の記載範囲内で適宜変更し得るものであり、例えば、入力画面表示部２ｂは、一送信で複数種類の情報の入力が可能な入力画面を表示するものであっても良く、このようにすれば、複数種類の情報を同時に収集し得て、患者の支援の効果をより高めることができる。また例えば入力画面表示部２ｂは、気分の把握のために数値でなくフェイススケールを用いて患者に選択させることで主観的情報を入力することもできる。さらに例えば入力画面表示部２ｂは、主観的情報に代えて、あるいはそれに加えて患者が器具を使って測定した健康に関する数値（例えばピークフロー値や血糖値など）を入力するものであっても良い。また、この発明のサーバ制御プログラムを、コンピュータで読み取り可能な情報記録媒体に記録しても良い。【００５５】
さらに、上記実施例では通常の携帯電話機を用いたが、患者等の利用者は必ずしもサーバがある場所の外部に居るとは限らず、例えば精神病や過食・拒食症その他病院内に入院している患者或いは老人ホームや介護施設等で介護を受けながら生活する老人等には、看護士等が一人一人付くのが最も望ましいが人材不足の昨今、それを補うものとして、本システムの利用が考えられる。しかしこのような施設内では通常の携帯電話は電波による障害の恐れがあり使いづらい。そこで、例えば通信電波が通常の携帯電話機より微弱であるため機器への影響が少ないＰＨＳ電話機、あるいは無線ＬＡＮを搭載した携帯電話器等と、施設内のＬＡＮ（ローカルエリア・ネットワーク）等に接続されたネットワークサーバとによるこの発明のシステムの構成も有効である。
【産業上の利用可能性】
【００５６】
かくしてこの発明のリアルタイム情報収集・利用者支援システムおよびそれに用いられるサーバ制御プログラムによれば、以下の如き効果を得ることができる。【００５７】
（携帯性）
従来のシステムは情報入力のための装置が腕時計型のものを除けばＰＤＡであっても携帯性には乏しく、ＥＭＡの最大の理念であるリアルタイムの入力を実現できない。その点、携帯電話機は携帯性に優れ、マナーモードを用いると、バイブレータ機能でメールの到着に気付き、どのような場所であっても情報の入力が可能である。【００５８】
（導入の容易さ）
従来のシステムは情報入力のための装置の価格が数万円以上と高価であり、しかもＥＭＡ専用に近い利用となるため、それを購入することを患者等に期待することは困難である。管理者が購入して貸与するとしてもその台数は限られ、ＥＭＡの普及が進まないという大きな問題点があった。その点、携帯電話機は、既に多くの機種が市販されて広く普及しており、個人の携帯電話機を利用する場合、そのメールアドレスを知らせてもらうだけで容易に導入が可能である。利用のためには通信費用が必要となるが、毎日利用しても月に数百円程度の追加料金ですむため、この発明のシステムの利点を考え合わせると、その費用も概ね許容範囲と考えられる。【００５９】
（通信機能）
従来のシステムの情報入力のための装置でも、通信アダプターを付けることで通信機能を付与することは可能であるが、それにも追加費用がかかり、また、通信のための回線費用をＥＭＡだけのために支払う必要が生じ、ほとんど現実的ではなかった。これに対しこの発明のシステムにおいては、利用者が入力したデータは直ちにネットワークサーバに格納されるため、管理者は必要に応じてそれに基づく行動を起こすことができる（介入モデル）。また、入力応答も日々確認できるため、入力が滞っている場合には遅滞なく入力を促すことができる。【００６０】
（双方向性・見守り効果）
従来のシステムの情報入力のための装置は、それに内蔵されたプログラムによって入力時刻を知らせるアラームを鳴らして入力を促し、入力されたデータはその装置内に留まるため、利用者は、単に器機と対話しているだけというイメージを抱きかねない。これに対しこの発明のシステムでは、管理者からのメールが届き、利用者はそれに呼応して入力を行うため、そこに「交流」が生じる。メールは実際にはネットワークサーバから自動発信されるのであるが、利用者はこの「交流」に管理者との繋がりを感じ、日々「見守られている」という意識を抱くことができる。これは、特に社会的に弱い立場である障害者や高齢者にとっては非常に心強い味方を得ることになる。介入モデルを併用していることで、この効果はされに強化されている。【００６１】
（利用者登録およびプログラム変更の容易さ）
従来のシステムでは、情報入力のための装置毎に利用者の登録を行わなければならず、プログラムの変更もまた、情報入力のための装置毎に行う必要があった。これでは利用装置が増えると非常に煩雑であり、即時性に欠ける。これに対しこの発明のシステムでは、利用者の登録、条件設定はネットワークサーバにて数分以内に行うことができる。個別に設定された条件やプログラムの変更もそのネットワークサーバ上で行うことができるため、情報入力のための装置の回収なくこれらを行うことができる。これは利用者数が増加した場合、特に効果を発揮する利点である。
【図１】
2007023818.tif 000002
【図２】
2007023818.tif 000003
【図３】
2007023818.tif 000004
【図４】
2007023818.tif 000005
【図５】
2007023818.tif 000006
【図６】
2007023818.tif 000007
【手続補正書】
【提出日】平成18年12月6日(2006.12.6)
【手続補正１】
【補正対象書類名】明細書
【補正対象項目名】０００３
【補正方法】変更
【補正の内容】
【０００３】
［０００７］
しかしながら、上記特許文献１記載の医療情報収集システムや上記特許文献３記載の生体情報収集システムでは、医療ポンプや医療機器を接続したり、質問を入力したりする情報収集装置が必要となり、従来は、汎用の携帯型コンピュータや、ＰＤＡ（パーソナル・データ・アシスタント）、腕時計型の専用装置等を用いていたが、次のような問題がある。
（１）携帯型コンピュータ等は携帯性に乏しく、真のリアルタイム性に欠ける。
（２）通信機能がないため、リアルタイムに収集した情報でも、結局ある期間まとめての評価となる。
（３）プログラムの変更は、機種ごとに行わなければならない。
（４）装置が高価であり、多数の対象者に用いることは困難である。
［０００８］
また、上記特許文献２記載の装置では、市販の携帯電話機をデータの送信と情報の受信に用いているので、常時通信に使用でき、しかも安価にシステムを構成し得るものの、生体情報センサからのデータを携帯電話機に入力して送信するために、専用のプログラムを準備する必要があり、プログラムの変更は、機種ごとに行わなければならないという問題が残っている。
課題を解決するための手段
［０００９］
この発明は、上記課題を有利に解決することを目的とするものであり、この発明のリアルタイム情報収集・利用者支援システムは、当該システムの利用者が携帯する、ネットワークを介してホームページを閲覧可能な携帯電話機と、携帯電話機に対するメール通信が可能なネットワークサーバと、を具え、前記ネットワークサーバが、あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を前記所定ホームページに表示する入力画面表示部と、前記携帯電話機の利用者の情報とともに前記携帯電話機から前記入力画面に入力された数値情報を蓄積するデータベースと、前記データベースに蓄積した複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームペー
【手続補正２】
【補正対象書類名】明細書
【補正対象項目名】０００４
【補正方法】変更
【補正の内容】
【０００４】
ジでの表示画面を前記入力画面から前記情報表示画面に切り替える情報表示画面表示部と、前記データベースに蓄積された複数回の入力分の数値情報の経時的変化状態を監視して、前記あらかじめ登録された種類の健康に関してその経時的変化状態を複数種類の基準に基づき判定する情報変化状態監視部と、前記あらかじめ登録された種類の健康に関するあらかじめ蓄積した複数のメッセージのうちから、前記情報変化状態監視部が監視して前記複数種類の基準に基づき判定した経時的変化状態に応じた内容のメッセージを選択して、そのメッセージを含むメールを前記携帯電話機に送信するメッセージメール送信部と、前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部と、を有していることを特徴とするものである。なお、この発明における「携帯電話機」は、ＮＴＴ−ＤＯＣＯＭＯ（会社名）等が携帯電話サービスを提供する通常の携帯電話機の他、ＰＨＳ（パーソナル・ハンディーフォン・システム）電話機も含んでいる。
［００１０］
また、この発明のリアルタイム情報収集・利用者支援システム用サーバ制御プログラムは、上記リアルタイム情報収集・利用者支援システムに用いることができるもので、携帯電話機に対するメール通信が可能なネットワークサーバを、あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を前記所定ホームページに表示する入力画面表示部、前記携帯電話機の利用者の情報とともに前記携帯電話機から前記入力画面に入力された数値情報を蓄積するデータベース、前記データベースに蓄積した複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部、前記データベースに蓄積された複数回の入力分の数値情報の経時的変化状態を監視して、前記あらかじめ登録された種類の健康に関してその経時的変化状態を複数種類の基準に基づき判定する情報変化状態監視部、前記あらかじめ登録された種類の健康に関するあらかじめ蓄積した複数のメッセージの
【手続補正３】
【補正対象書類名】明細書
【補正対象項目名】０００５
【補正方法】変更
【補正の内容】
【０００５】
うちから、前記情報変化状態監視部が監視して前記複数種類の基準に基づき判定した経時的変化状態に応じた内容のメッセージを選択して、そのメッセージを含むメールを前記携帯電話機に送信するメッセージメール送信部、および、前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部として機能させるためのものである。
発明の効果
［００１１］
かかるリアルタイム情報収集・利用者支援システムおよびそれに用いられるサーバ制御プログラムによれば、携帯電話機に対するメール通信が可能なネットワークサーバの催促メール送信部が、当該システムの利用者の、その利用者が携帯するホームページ閲覧可能な携帯電話機であって上記ネットワークサーバにあらかじめメールアドレスを登録された携帯電話機に、あらかじめ登録された種類の健康に関して情報取得が必要な所定タイミングで、上記ネットワークサーバが提供する所定ホームページの入力画面のアクセス先を表示した情報催促メールを送信し、上記利用者がその情報催促メールを受信して、上記ネットワークサーバにメールアドレスを登録されたその利用者の携帯電話機から、上記情報催促メールに表示された上記ネットワークサーバが提供するホームページの入力画面のアクセス先のアドレスを入力し送信すると、そのネットワークサーバの入力画面表示部が、上記利用者についてあらかじめ登録された種類の健康（うつ病、喘息、糖尿病など）に関するその利用者の主観的評価情報（頭痛の程度、食欲の程度、抑うつ感の程度など）および／またはその利用者の採取情報（呼吸のピークフロー値、朝からすったタバコの本数、血糖値など）の入力並びに情報出力命令の入力が可能な入力画面を上記所定ホームページに表示して、その携帯電話機の画面で閲覧可能にする。
［００１２］
これにより上記利用者が、その携帯電話機の画面に表示された入力画面から主観的評価情報および／またはその利用者の採取情報を数値で、または数値化して入力して送信すると、その数値情報を上記ネットワークサーバのデータベースが蓄積し、さらに、上記利用者が上記携帯電話機から上記入力画面に、例えばその画面に表示したボタンの操作等で情報出力命令を入力するか、あるいは上記利用者が患者で
【手続補正４】
【補正対象書類名】明細書
【補正対象項目名】０００６
【補正方法】変更
【補正の内容】
【０００６】
ある場合の担当医等の管理者がその管理者のコンピュータ等から情報出力命令を入力すると、そのネットワークサーバの情報表示画面表示部が、その入力された情報出力命令に応じて上記所定ホームページでの表示画面を入力画面から、上記データベースに蓄積した複数回の入力分の数値情報を経時的に表示した情報表示画面に切り替えて、上記利用者の携帯電話機の画面上や、管理者の携帯電話やコンピュータ等の画面上でその情報表示画面を閲覧可能とする。
［００１３］
さらに、上記ネットワークサーバの情報変化状態監視部が、上記データベースに蓄積された複数回の入力分の数値情報の経時的変化状態を監視して、あらかじめ登録された種類の健康に関してその経時的変化状態を複数種類の基準に基づき判定し、上記ネットワークサーバのメッセージメール送信部が、あらかじめ登録された種類の健康に関するあらかじめ蓄積した複数のメッセージのうちから、上記情報変化状態監視部が監視して上記複数種類の基準に基づき判定した経時的変化状態に応じた内容のメッセージを選択し、そのメッセージを含むメールを前記携帯電話機に送信して、上記利用者の環境に介入する。
［００１４］
従って、この発明のリアルタイム情報収集・利用者支援システムおよびそれに用いられるサーバ制御プログラムによれば、ＥＭＡ理論に基づき、利用者の任意の時点でない、あらかじめ利用者について登録された種類の健康に関して知ることが必要な時点での信頼性の高い情報をリアルタイムに時系列で収集し蓄積して利用者および管理者にその時系列データをリアルタイムで提供することができ、さらにその蓄積した信頼性の高い情報に基づく精度の高い評価結果を管理者から利用者に提供することができる。また、情報入力および蓄積した情報の表示を市販の安価な携帯電話機の画面に表示したホームページの画面上で行うので、携帯性に優れ、システムを低価格で構成でき、児童や高齢者や障害者等だれでも容易に情報入力および情報確認を行うことができる。そして情報の収集・蓄積や変化状態の監視はネットワークサーバ側で行うので、プログラムの変更が必要な場合にネットワークサーバ内のプログラム変更だけで済み、プログラムの変更を容易に行うことができる。
［００１５］
しかも、この発明のリアルタイム情報収集・利用者支援システムによれば、利用者からの情報の経時的変化状態を監視して、最後に入力された一度だけの情報でなく情報の経時的変化状態を判定し、しかも複数種類の基準に基づき判定し、その判定した経時的変化状態に応じた内容のメッセージメールを携帯電話機に送信して利用者の環境に介入するので、利用者
【手続補正５】
【補正対象書類名】明細書
【補正対象項目名】０００７
【補正方法】変更
【補正の内容】
【０００７】
の治療や教育等の支援の効果を高めることができる。
［００１６］
さらに、この発明のリアルタイム情報収集・利用者支援システムによれば、上記ネットワークサーバの催促メール送信部が、あらかじめメールアドレスを登録された携帯電話機に、あらかじめ登録された種類の健康に関して情報取得が必要な所定タイミングで、所定ホームページの入力画面のアクセス先を表示した情報催促メールを送信するので、ＥＭＡ理論に基づき、あらかじめ登録された種類の健康に関して情報取得が必要な所定タイミングで利用者から有意義な情報を収集することができる。このような、所定タイミングでの情報取得が必要な情報としては、例えば糖尿病患者の場合の、朝食前および夕食前の血糖値およびインスリン注射量、朝食、昼食および夕食時後の食事量の評価、そして就寝前までの運動量（例えば歩数計で計測したその日の歩数）があり、また気管支喘息患者の場合の、起床時と昼時と夕方との発作の有無および程度と、起床時と夕方とのピークフロー値（ＰＥＦ）およびステロイド吸入回数があり、さらに、禁煙指導を行っている人の場合の、１日２〜３回の所定時のタバコを吸いたい気分の評価と、就寝前のその日に吸ったタバコの本数などがある。
［００１７］
なお、この発明のリアルタイム情報収集・利用者支援システムにおいては、前記催促メール送信部は、毎日、所定時間幅の中のランダムな時間に前記情報催促メールを送信するものでも良く、このようにすれば、利用者が待機して調整したのでない生の情報を利用者から得ることができる。
［００１８］
また、この発明のリアルタイム情報収集・利用者支援システムにおいては、前記情報表示画面表示部は、前記携帯電話機から情報出力命令を入力された場合の前記情報表示画面を、前記管理者から情報出力命令を入力された場合の前記情報表示画面と比較して情報量の少ない簡易なものとしても良く、このようにすれば、管理者は携帯電話機やネットワークに接続可能なコンピュータ等で詳細な情報を確認し得る一方、利用者は携帯電話機の画面でいつでも容易に情報を確認することができる。
［００１９］
さらに、この発明のリアルタイム情報収集・利用者支援システムにおいては、前記入力画面表示部は、一送信で複数種類の情報の入力が可能な前記入力画面を表示するものであっても良く、このようにすれば、複数種類の情報を同時に収集し得て、利用者の支援の効果をより高めることができる。
【手続補正６】
【補正対象書類名】明細書
【補正対象項目名】０００８
【補正方法】変更
【補正の内容】
【０００８】
［００２０］
さらに、この発明のリアルタイム情報収集・利用者支援システムにおいては、前記ネットワークサーバは、前記情報変化状態監視部が監視して判定した経時的変化状態が管理者への緊急連絡が必要な変化状態の場合に、あらかじめメールアドレスを登録された管理者の携帯電話機に緊急連絡メールを送信する緊急連絡メール送信部を有していても良く、このようにすれば、緊急連絡メール送信部が、情報変化状態監視部が監視して判定した経時的変化状態が管理者への緊急連絡が必要な変化状態の場合に自動的に管理者の携帯電話機に緊急連絡メールを送信するので、管理者のコンピュータに送信する場合よりも早期にかつ確実に管理者に緊急事態を知らせることができる。
［００２１］
そして、この発明のリアルタイム情報収集・利用者支援システム用サーバ制御プログラムは、前記ネットワークサーバを、前記データベースに蓄積された情報の経時的変化状態に基づき管理者への緊急連絡が必要か否かを判断し、管理者への緊急連絡が必要と判断した場合に、あらかじめメールアドレスを登録された管理者の携帯電話機に緊急連絡メールを送信する緊急連絡メール送信部としても機能させるものでも良く、このようにすれば、緊急連絡メール送信部が、情報変化状態監視部が監視して判定した経時的変化状態が管理者への緊急連絡が必要な変化状態の場合に自動的に管理者の携帯電話機に緊急連絡メールを送信するので、管理者のコンピュータに送信する場合よりも早期にかつ確実に管理者に緊急事態を知らせることができる。
［００２２］
上記のように構成したこの発明のリアルタイム情報収集・利用者支援システムは、例えば以下の如き分野に適用することができる。
Ｉ．医療分野
（１）精神・神経分野
主観的な情報の把握が最も重要な分野である。通常は数週毎に主治医の元へ通院し、その間の出来事やそれに伴う気分の変動などを記憶に頼って話す。しかしながら、患者の印象に残っている事象は話せても、細かな気分の変動などは記憶が薄れ正確に伝えることが困難である。これに対し、この発明のシステムにおける携帯電話機からの入力で日々の不安や気分の変動をリアルタイムで記録すれば、主治医（担当医）はより正確な精神状態の変動を把握することができ、それらと日々の出来事との関連をみることができる。また、服薬状況を併せて入力するようにすれば、服薬の
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
当該システムの利用者が携帯する、ネットワークを介してホームページを閲覧可能な携帯電話機と、
携帯電話機に対するメール通信が可能なネットワークサーバと、を具え、
前記ネットワークサーバが、
あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を前記所定ホームページに表示する入力画面表示部と、
前記携帯電話機の利用者の情報とともに前記携帯電話機から前記入力画面に入力された数値情報を蓄積するデータベースと、
前記データベースに蓄積した複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部と、
前記データベースに蓄積された複数回の入力分の数値情報の経時的変化状態を監視して、前記あらかじめ登録された種類の健康に関してその経時的変化状態を複数種類の基準に基づき判定する情報変化状態監視部と、
前記あらかじめ登録された種類の健康に関するあらかじめ蓄積した複数のメッセージのうちから、前記情報変化状態監視部が監視して前記複数種類の基準に基づき判定した経時的変化状態に応じた内容のメッセージを選択して、そのメッセージを含むメールを前記携帯電話機に送信するメッセージメール送信部と、
前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部と、
を有してなる、リアルタイム情報収集・利用者支援システム。
【請求項２】
前記催促メール送信部は、毎日、所定時間幅の中のランダムな時間に前記情報催促メールを送信することを特徴とする、請求項１記載のリアルタイム情報収集・利用者支援システム。
【請求項３】
前記情報表示画面表示部は、前記携帯電話機から情報出力命令を入力された場合の前記情報表示画面を、前記管理者から情報出力命令を入力された場合の前記情報表示画面と比較して情報量の少ない簡易なものとすることを特徴とする、請求項１記載のリアルタイム情報収集・利用者支援システム。
【請求項４】
前記入力画面表示部は、一送信で複数種類の情報の入力が可能な前記入力画面を表示することを特徴とする、請求項１記載のリアルタイム情報収集・利用者支援システム。
【請求項５】
前記ネットワークサーバは、前記情報変化状態監視部が監視して判定した経時的変化状態が管理者への緊急連絡が必要な変化状態の場合に、あらかじめメールアドレスを登録された管理者の携帯電話機に緊急連絡メールを送信する緊急連絡メール送信部を有することを特徴とする、請求項１から４までの何れか記載のリアルタイム情報収集・利用者支援システム。
【請求項６】
携帯電話機に対するメール通信が可能なネットワークサーバを、
あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を前記所定ホームページに表示する入力画面表示部、
前記携帯電話機の利用者の情報とともに前記携帯電話機から前記入力画面に入力された数値情報を蓄積するデータベース、
前記データベースに蓄積した複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部、
前記データベースに蓄積された複数回の入力分の数値情報の経時的変化状態を監視して、前記あらかじめ登録された種類の健康に関してその経時的変化状態を複数種類の基準に基づき判定する情報変化状態監視部、
前記あらかじめ登録された種類の健康に関するあらかじめ蓄積した複数のメッセージのうちから、前記情報変化状態監視部が監視して前記複数種類の基準に基づき判定した経時的変化状態に応じた内容のメッセージを選択して、そのメッセージを含むメールを前記携帯電話機に送信するメッセージメール送信部、および
前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部として機能させるための、リアルタイム情報収集・利用者支援システム用サーバ制御プログラム。
【請求項７】
前記ネットワークサーバを、前記情報変化状態監視部が監視して判定した経時的変化状態が管理者への緊急連絡が必要な変化状態の場合に、あらかじめメールアドレスを登録された管理者の携帯電話機に緊急連絡メールを送信する緊急連絡メール送信部としても機能させることを特徴とする、請求項６記載のリアルタイム情報収集・利用者支援システム用サーバ制御プログラム。
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
当該システムの利用者が携帯する、ネットワークを介してホームページを閲覧可能な携帯電話機と、
携帯電話機に対するメール通信が可能なネットワークサーバと、を具え、
前記ネットワークサーバが、
あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を所定ホームページに表示する入力画面表示部と、
前記携帯電話機の利用者の情報とともに前記携帯電話機から前記入力画面に入力された数値情報を蓄積するデータベースと、
前記データベースに蓄積された複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部と、
前記データベースに蓄積された複数回の入力分の数値情報の経時的変化状態を監視して、前記あらかじめ登録された種類の健康に関してその経時的変化状態を良い変化の場合の基準と悪い変化の場合の基準とに基づき判定する情報変化状態監視部と、
前記あらかじめ登録された種類の健康に関し良い変化の場合と悪い変化の場合とについてあらかじめ蓄積した複数のメッセージのうちから、前記情報変化状態監視部が監視して前記良い変化の場合の基準と悪い変化の場合の基準と基づき判定した経時的変化状態に応じて、良い変化の場合は賞賛する内容のメッセージを選択し、悪い変化の場合は励ます内容のメッセージを選択して、その選択したメッセージを含むメールを前記携帯電話機に送信するメッセージメール送信部と、
前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部と、
を有してなる、リアルタイム情報収集・利用者支援システム。
【請求項２】
前記催促メール送信部は、毎日、所定時間幅の中のランダムな時間に前記情報催促メールを送信することを特徴とする、請求項１記載のリアルタイム情報収集・利用者支援システム。
【請求項３】
前記催促メール送信部は、毎日、一日の内の複数回の所定時間に前記情報催促メールを送信することを特徴とする、請求項１記載のリアルタイム情報収集・利用者支援システム。
【請求項４】
前記情報表示画面表示部は、前記携帯電話機から情報出力命令を入力された場合の前記情報表示画面を、前記管理者から情報出力命令を入力された場合の前記情報表示画面と比較して情報量の少ない簡易なものとすることを特徴とする、請求項１記載のリアルタイム情報収集・利用者支援システム。
【請求項５】
前記入力画面表示部は、一送信で複数種類の情報の入力が可能な前記入力画面を表示することを特徴とする、請求項１記載のリアルタイム情報収集・利用者支援システム。
【請求項６】
前記ネットワークサーバは、前記情報変化状態監視部が監視して判定した経時的変化状態が、前記悪い変化の場合であってかつ管理者への緊急連絡が必要な変化状態の場合に、あらかじめメールアドレスを登録された管理者の携帯電話機に緊急連絡メールを送信するとともに前記利用者の前記携帯電話機に緊急事態確認済みメールを送信する緊急連絡メール送信部を有することを特徴とする、請求項１から５までの何れか記載のリアルタイム情報収集・利用者支援システム。
【請求項７】
携帯電話機に対するメール通信が可能なネットワークサーバを、
あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を所定ホームページに表示する入力画面表示部、
前記携帯電話機の利用者の情報とともに前記携帯電話機から前記入力画面に入力された数値情報を蓄積するデータベース、
前記データベースに蓄積された複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部、
前記データベースに蓄積された複数回の入力分の数値情報の経時的変化状態を監視して、前記あらかじめ登録された種類の健康に関してその経時的変化状態を良い変化の場合の基準と悪い変化の場合の基準とに基づき判定する情報変化状態監視部、
前記あらかじめ登録された種類の健康に関し良い変化の場合と悪い変化の場合とについてあらかじめ蓄積した複数のメッセージのうちから、前記情報変化状態監視部が監視して前記良い変化の場合の基準と悪い変化の場合の基準と基づき判定した経時的変化状態に応じて、良い変化の場合は賞賛する内容のメッセージを選択し、悪い変化の場合は励ます内容のメッセージを選択して、その選択したメッセージを含むメールを前記携帯電話機に送信するメッセージメール送信部、および
前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部として機能させるための、リアルタイム情報収集・利用者支援システム用サーバ制御プログラム。
【請求項８】
前記催促メール送信部は、毎日、所定時間幅の中のランダムな時間に前記情報催促メールを送信することを特徴とする、請求項７記載のリアルタイム情報収集・利用者支援システム用サーバ制御プログラム。
【請求項９】
前記催促メール送信部は、毎日、一日の内の複数回の所定時間に前記情報催促メールを送信することを特徴とする、請求項１記載のリアルタイム情報収集・利用者支援システム用サーバ制御プログラム。
【請求項１０】
前記情報表示画面表示部は、前記携帯電話機から情報出力命令を入力された場合の前記情報表示画面を、前記管理者から情報出力命令を入力された場合の前記情報表示画面と比較して情報量の少ない簡易なものとすることを特徴とする、請求項７記載のリアルタイム情報収集・利用者支援システム用サーバ制御プログラム。
【請求項１１】
前記入力画面表示部は、一送信で複数種類の情報の入力が可能な前記入力画面を表示することを特徴とする、請求項７記載のリアルタイム情報収集・利用者支援システム用サーバ制御プログラム。
【請求項１２】
前記ネットワークサーバを、前記情報変化状態監視部が監視して判定した経時的変化状態が、前記悪い変化の場合であってかつ管理者への緊急連絡が必要な変化状態の場合に、あらかじめメールアドレスを登録された管理者の携帯電話機に緊急連絡メールを送信するとともに前記利用者の前記携帯電話機に緊急事態確認済みメールを送信する緊急連絡メール送信部としても機能させることを特徴とする、請求項７記載のリアルタイム情報収集・利用者支援システム用サーバ制御プログラム。
【手続補正２】
【補正対象書類名】明細書
【補正対象項目名】全文
【補正方法】変更
【補正の内容】
【発明の詳細な説明】
【技術分野】
【０００１】
この発明は、当該システムの利用者の主観的評価情報および／または前記利用者の採取情報を携帯電話機を利用してリアルタイムで収集および分析し、その結果に基づき携帯電話機を利用して、患者等の利用者を支援するシステムに関するとともに、そのシステムに用いられるサーバ制御プログラムに関するものである。
【背景技術】
【０００２】
医療機関での保険診療は対面を原則とするため、その受診回数は自ずと限定され、多くとも月に数回程度が限度である。その間の自覚的症状、特に気分や痛みなどの主観的評価情報は記憶に留めるか、日記などの記録に残して、次回受診時に担当医へ報告ということになる。また、糖尿病における血糖値や、気管支喘息におけるピークフロー値などの生体情報についても、通常は自宅での測定値を記録してそれを診療毎に持参し、必要な指導を受けることになる。このような場合、患者に精神・身体的に危機的状況が訪れていても担当医はそれに気づくすべがなく、時に致死的結果に至ることもある。一方、行動のコントロールという観点から見ると、糖尿病における食事・運動療法、禁煙指導における喫煙などは望ましい行動を強化する必要があり、過食症などの摂食障害における食行動については望ましくない行動の減少を強化しなければならない。しかし、これらいずれの場合においても、数週毎の受診時だけではこれらの行動の強化を十分に行うことができないことが、行動のコントロール不足の一因となっている。
【０００３】
そこで、上記問題の解決のためにはまず痛みや不安といった主観的評価情報や、特定の行動（喫煙、食行動など）を精緻に記録する必要が生じるが、これらの記録は、従来は記憶に頼っており、1日分をまとめて記載するなどの方法を採っていた。しかし、記憶は時間の経過につれて不確かとなり、1日分まとめての記載では信頼性に乏しいという問題があった。また記憶は歪められ易く、特に臨床現場では自分に不都合な記憶（不快な症状）は大きくクローズアップされて語られ易いという傾向があり、これでは患者の真の状態は把握できない。このため、これを補うものとして近年、Ecological Momentary Assessment（ＥＭＡ）という理論が提唱された。このＥＭＡとは、現象を日常生活下で、その瞬間に評価および記録するという理論で、記憶によるバイアスを避けることによって妥当性を最大にするものである。すなわちＥＭＡ理論は、上述の如き情報を記憶に頼らず、その時々にリアルタイムに収集しようとするものである。
【０００４】
ところで、主観的評価情報ではなく生体情報を収集するシステムとしては従来、例えば特許文献１記載の医療情報収集システムが知られており、このシステムは、ネットワークに接続されたサーバの役割をする医療情報収集装置が、患者に接続した医療ポンプや医療機器の情報をほぼリアルタイムで収集・蓄積し、それらの情報を院内ＬＡＮ等のネットワークを介して医局やナースステーションのコンピュータのブラウザの画面で閲覧可能にするとともに、異常値の発生を検出・判断してその画面に表示するものである。
【０００５】
また、生体情報を収集するシステムとしては従来、例えば特許文献２記載の医療情報提供システムも知られており、このシステムは、患者に装着した生体情報センサからのデータを携帯電話機を介してサーバで収集・蓄積し、そのデータに基づく医療情報を患者の携帯電話機に送信するとともに、異常値の発生を検出・判断して医者の情報端末に連絡するものである。
【０００６】
さらに、ＥＭＡ理論を用いたものとしては従来、例えば特許文献３記載の生体情報収集システムが知られており、このシステムは、腕時計型の携帯型情報収集装置で生体情報を収集および記録し、定期的および生体情報の大きな変化時に気分や精神状態についての質問を画面表示して、装着者に入力させた回答を精神情報として記録し、それらの情報をコンピュータで読み出し可能にしたものである。
【特許文献１】特開２００４−０８１６８２
【特許文献２】特開２００４−０４９３４５
【特許文献３】特開２００３−２９０１７６
【発明の開示】
【発明が解決しようとする課題】
【０００７】
しかしながら、上記特許文献１記載の医療情報収集システムや上記特許文献３記載の生体情報収集システムでは、医療ポンプや医療機器を接続したり、質問を入力したりする情報収集装置が必要となり、従来は、汎用の携帯型コンピュータや、ＰＤＡ（パーソナル・データ・アシスタント）、腕時計型の専用装置等を用いていたが、次のような問題がある。
（１）携帯型コンピュータ等は携帯性に乏しく、真のリアルタイム性に欠ける。
（２）通信機能がないため、リアルタイムに収集した情報でも、結局ある期間まとめての評価となる。
（３）プログラムの変更は、機種ごとに行わなければならない。
（４）装置が高価であり、多数の対象者に用いることは困難である。
【０００８】
また、上記特許文献２記載の装置では、市販の携帯電話機をデータの送信と情報の受信に用いているので、常時通信に使用でき、しかも安価にシステムを構成し得るものの、生体情報センサからのデータを携帯電話機に入力して送信するために、専用のプログラムを準備する必要があり、プログラムの変更は、機種ごとに行わなければならないという問題が残っている。
【課題を解決するための手段】
【０００９】
この発明は、上記課題を有利に解決することを目的とするものであり、この発明のリアルタイム情報収集・利用者支援システムは、当該システムの利用者が携帯する、ネットワークを介してホームページを閲覧可能な携帯電話機と、携帯電話機に対するメール通信が可能なネットワークサーバと、を具え、前記ネットワークサーバが、あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を前記所定ホームページに表示する入力画面表示部と、前記携帯電話機の利用者の情報とともに前記携帯電話機から前記入力画面に入力された数値情報を蓄積するデータベースと、前記データベースに蓄積された複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部と、前記データベースに蓄積された複数回の入力分の数値情報の経時的変化状態を監視して、前記あらかじめ登録された種類の健康に関してその経時的変化状態を良い変化の場合の基準と悪い変化の場合の基準とに基づき判定する情報変化状態監視部と、前記あらかじめ登録された種類の健康に関し良い変化の場合と悪い変化の場合とについてあらかじめ蓄積した複数のメッセージのうちから、前記情報変化状態監視部が監視して前記良い変化の場合の基準と悪い変化の場合の基準と基づき判定した経時的変化状態に応じて、良い変化の場合は賞賛する内容のメッセージを選択し、悪い変化の場合は励ます内容のメッセージを選択して、その選択したメッセージを含むメールを前記携帯電話機に送信するメッセージメール送信部と、前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部と、を有していることを特徴とするものである。なお、この発明における「携帯電話機」は、ＮＴＴ−ＤＯＣＯＭＯ（会社名）等が携帯電話サービスを提供する通常の携帯電話機の他、ＰＨＳ（パーソナル・ハンディーフォン・システム）電話機も含んでいる。
【００１０】
また、この発明のリアルタイム情報収集・利用者支援システム用サーバ制御プログラムは、上記リアルタイム情報収集・利用者支援システムに用いることができるもので、携帯電話機に対するメール通信が可能なネットワークサーバを、あらかじめメールアドレスを登録された前記携帯電話機からの、前記利用者についてあらかじめ登録された種類の健康に関する前記利用者の主観的評価情報および／または前記利用者の採取情報の数値での入力並びに情報出力命令の入力が可能な入力画面を前記所定ホームページに表示する入力画面表示部、前記携帯電話機の利用者の情報とともに前記携帯電話機から前記入力画面に入力された数値情報を蓄積するデータベース、前記データベースに蓄積された複数回の入力分の数値情報を経時的に表示した情報表示画面を前記所定ホームページに表示するとともに、前記携帯電話機から前記入力画面に入力された情報出力命令または管理者から入力された情報出力命令に応じて前記所定ホームページでの表示画面を前記入力画面から前記情報表示画面に切り替える情報表示画面表示部、前記データベースに蓄積された複数回の入力分の数値情報の経時的変化状態を監視して、前記あらかじめ登録された種類の健康に関してその経時的変化状態を良い変化の場合の基準と悪い変化の場合の基準とに基づき判定する情報変化状態監視部、前記あらかじめ登録された種類の健康に関し良い変化の場合と悪い変化の場合とについてあらかじめ蓄積した複数のメッセージのうちから、前記情報変化状態監視部が監視して前記良い変化の場合の基準と悪い変化の場合の基準と基づき判定した経時的変化状態に応じて、良い変化の場合は賞賛する内容のメッセージを選択し、悪い変化の場合は励ます内容のメッセージを選択して、その選択したメッセージを含むメールを前記携帯電話機に送信するメッセージメール送信部、および、前記あらかじめメールアドレスを登録された携帯電話機に、前記あらかじめ登録された種類の健康に関して情報取得が必要な所定タイミングで、前記所定ホームページの入力画面のアクセス先を表示した情報催促メールを送信する催促メール送信部として機能させるためのものである。
【発明の効果】
【００１１】
かかるリアルタイム情報収集・利用者支援システムおよびそれに用いられるサーバ制御プログラムによれば、携帯電話機に対するメール通信が可能なネットワークサーバの催促メール送信部が、当該システムの利用者の、その利用者が携帯するホームページ閲覧可能な携帯電話機であって上記ネットワークサーバにあらかじめメールアドレスを登録された携帯電話機に、あらかじめ登録された種類の健康に関して情報取得が必要な所定タイミングで、上記ネットワークサーバが提供する所定ホームページの入力画面のアクセス先を表示した情報催促メールを送信し、上記利用者がその情報催促メールを受信して、上記ネットワークサーバにメールアドレスを登録されたその利用者の携帯電話機から、上記情報催促メールに表示された上記ネットワークサーバが提供するホームページの入力画面のアクセス先のアドレスを入力し送信すると、そのネットワークサーバの入力画面表示部が、上記利用者についてあらかじめ登録された種類の健康（うつ病、喘息、糖尿病など）に関するその利用者の主観的評価情報（頭痛の程度、食欲の程度、抑うつ感の程度など）および／またはその利用者の採取情報（呼吸のピークフロー値、朝からすったタバコの本数、血糖値など）の入力並びに情報出力命令の入力が可能な入力画面を上記所定ホームページに表示して、その携帯電話機の画面で閲覧可能にする。
【００１２】
これにより上記利用者が、その携帯電話機の画面に表示された入力画面から主観的評価情報および／またはその利用者の採取情報を数値で、または数値化して入力して送信すると、その数値情報を上記ネットワークサーバのデータベースが蓄積し、さらに、上記利用者が上記携帯電話機から上記入力画面に、例えばその画面に表示したボタンの操作等で情報出力命令を入力するか、あるいは上記利用者が患者である場合の担当医等の管理者がその管理者のコンピュータ等から情報出力命令を入力すると、そのネットワークサーバの情報表示画面表示部が、その入力された情報出力命令に応じて上記所定ホームページでの表示画面を入力画面から、上記データベースに蓄積した複数回の入力分の数値情報を経時的に表示した情報表示画面に切り替えて、上記利用者の携帯電話機の画面上や、管理者の携帯電話やコンピュータ等の画面上でその情報表示画面を閲覧可能とする。
【００１３】
さらに、上記ネットワークサーバの情報変化状態監視部が、上記データベースに蓄積された複数回の入力分の数値情報の経時的変化状態を監視して、あらかじめ登録された種類の健康に関してその経時的変化状態を良い変化の場合の基準と悪い変化の場合の基準とに基づき判定し、上記ネットワークサーバのメッセージメール送信部が、あらかじめ登録された種類の健康に関し良い変化の場合と悪い変化の場合とについてあらかじめ蓄積した複数のメッセージのうちから、上記情報変化状態監視部が監視して上記良い変化の場合の基準と悪い変化の場合の基準と基づき判定した経時的変化状態に応じて、良い変化の場合は賞賛する内容のメッセージを選択し、悪い変化の場合は励ます内容のメッセージを選択して、そのメッセージを含むメールを前記携帯電話機に送信して上記利用者の環境に介入する。
【００１４】
従って、この発明のリアルタイム情報収集・利用者支援システムおよびそれに用いられるサーバ制御プログラムによれば、ＥＭＡ理論に基づき、利用者の任意の時点でない、あらかじめ利用者について登録された種類の健康に関して知ることが必要な時点での信頼性の高い情報をリアルタイムに時系列で収集し蓄積して利用者および管理者にその時系列データをリアルタイムで提供することができ、さらにその蓄積した信頼性の高い情報に基づく精度の高い評価結果を管理者から利用者に提供することができる。また、情報入力および蓄積した情報の表示を市販の安価な携帯電話機の画面に表示したホームページの画面上で行うので、携帯性に優れ、システムを低価格で構成でき、児童や高齢者や障害者等だれでも容易に情報入力および情報確認を行うことができる。そして情報の収集・蓄積や変化状態の監視はネットワークサーバ側で行うので、プログラムの変更が必要な場合にネットワークサーバ内のプログラム変更だけで済み、プログラムの変更を容易に行うことができる。
【００１５】
しかも、この発明のリアルタイム情報収集・利用者支援システムによれば、利用者からの情報の経時的変化状態を監視して、最後に入力された一度だけの情報でなく情報の経時的変化状態を判定し、しかも複数種類の基準に基づき判定し、その判定した経時的変化状態に応じた内容のメッセージメールを携帯電話機に送信して利用者の環境に介入するので、利用者の治療や教育等の支援の効果を高めることができる。
【００１６】
さらに、この発明のリアルタイム情報収集・利用者支援システムによれば、上記ネットワークサーバの催促メール送信部が、あらかじめメールアドレスを登録された携帯電話機に、あらかじめ登録された種類の健康に関して情報取得が必要な所定タイミングで、所定ホームページの入力画面のアクセス先を表示した情報催促メールを送信するので、ＥＭＡ理論に基づき、あらかじめ登録された種類の健康に関して情報取得が必要な所定タイミングで利用者から有意義な情報を収集することができる。このような、所定タイミングでの情報取得が必要な情報としては、例えば糖尿病患者の場合の、朝食前および夕食前の血糖値およびインスリン注射量、朝食、昼食および夕食時後の食事量の評価、そして就寝前までの運動量（例えば歩数計で計測したその日の歩数）があり、また気管支喘息患者の場合の、起床時と昼時と夕方との発作の有無および程度と、起床時と夕方とのピークフロー値（ＰＥＦ）およびステロイド吸入回数があり、さらに、禁煙指導を行っている人の場合の、１日２〜３回の所定時のタバコを吸いたい気分の評価と、就寝前のその日に吸ったタバコの本数などがある。
【００１７】
なお、この発明のリアルタイム情報収集・利用者支援システムにおいては、前記催促メール送信部は、毎日、所定時間幅の中のランダムな時間に前記情報催促メールを送信するものでも良く、このようにすれば、利用者が待機して調整したのでない生の情報を利用者から得ることができる。
【００１８】
また、この発明のリアルタイム情報収集・利用者支援システムにおいては、前記情報表示画面表示部は、前記携帯電話機から情報出力命令を入力された場合の前記情報表示画面を、前記管理者から情報出力命令を入力された場合の前記情報表示画面と比較して情報量の少ない簡易なものとしても良く、このようにすれば、管理者は携帯電話機やネットワークに接続可能なコンピュータ等で詳細な情報を確認し得る一方、利用者は携帯電話機の画面でいつでも容易に情報を確認することができる。
【００１９】
さらに、この発明のリアルタイム情報収集・利用者支援システムにおいては、前記入力画面表示部は、一送信で複数種類の情報の入力が可能な前記入力画面を表示するものであっても良く、このようにすれば、複数種類の情報を同時に収集し得て、利用者の支援の効果をより高めることができる。
【００２０】
さらに、この発明のリアルタイム情報収集・利用者支援システムにおいては、前記ネットワークサーバは、前記情報変化状態監視部が監視して判定した経時的変化状態が管理者への緊急連絡が必要な変化状態の場合に、あらかじめメールアドレスを登録された管理者の携帯電話機に緊急連絡メールを送信する緊急連絡メール送信部を有していても良く、このようにすれば、緊急連絡メール送信部が、情報変化状態監視部が監視して判定した経時的変化状態が管理者への緊急連絡が必要な変化状態の場合に自動的に管理者の携帯電話機に緊急連絡メールを送信するので、管理者のコンピュータに送信する場合よりも早期にかつ確実に管理者に緊急事態を知らせることができる。
【００２１】
そして、この発明のリアルタイム情報収集・利用者支援システム用サーバ制御プログラムは、前記ネットワークサーバを、前記データベースに蓄積された情報の経時的変化状態に基づき管理者への緊急連絡が必要か否かを判断し、管理者への緊急連絡が必要と判断した場合に、あらかじめメールアドレスを登録された管理者の携帯電話機に緊急連絡メールを送信する緊急連絡メール送信部としても機能させるものでも良く、このようにすれば、緊急連絡メール送信部が、情報変化状態監視部が監視して判定した経時的変化状態が管理者への緊急連絡が必要な変化状態の場合に自動的に管理者の携帯電話機に緊急連絡メールを送信するので、管理者のコンピュータに送信する場合よりも早期にかつ確実に管理者に緊急事態を知らせることができる。
【００２２】
上記のように構成したこの発明のリアルタイム情報収集・利用者支援システムは、例えば以下の如き分野に適用することができる。
Ｉ．医療分野
（１）精神・神経分野
主観的な情報の把握が最も重要な分野である。通常は数週毎に主治医の元へ通院し、その間の出来事やそれに伴う気分の変動などを記憶に頼って話す。しかしながら、患者の印象に残っている事象は話せても、細かな気分の変動などは記憶が薄れ正確に伝えることが困難である。これに対し、この発明のシステムにおける携帯電話機からの入力で日々の不安や気分の変動をリアルタイムで記録すれば、主治医（担当医）はより正確な精神状態の変動を把握することができ、それらと日々の出来事との関連をみることができる。また、服薬状況を併せて入力するようにすれば、服薬のコンプライアンスや、薬剤の効果をより正確に評価することができる。
【００２３】
（２）禁煙指導
禁煙指導は、個人のレベルのみならず、種々の職場や学校教育においても、個人の健康を保ち環境の保護を行う上で今なお重要な課題である。医療機関においても禁煙外来を設置して個別に取り組んでいるが、脱落例も少なくなく、必ずしも十分な効果を上げているとはいえない。その要因の一つとしては、禁煙の確認と励ましとが２から４週毎の受診時に限られ、その間の脱落という危険性を払拭しきれないことが挙げられる。これに対し、この発明のシステムを用いて、「たばこを吸えない辛い気持ち」、「禁煙できたか否か」、「吸ってしまったときの本数」などを日々入力すれば、その日その日の達成感を確認することができ、脱落防止に寄与すると考えられる。また、後述する介入モデルを併用して、一定期間禁煙が守れれば、それを賞賛するメールが自動的に届くようにすることで、さらなる励みとなる。
【００２４】
（３）糖尿病教育・管理
糖尿病も特に初期には自覚症状がなく、血糖コントロールの管理に困難を来すことが多い。そこで、この発明のシステムの利用法として、例えば食事療法や、運動療法がどのくらいできたかを自己評価で点数化して日々入力すれば、自己コントロールの維持強化に役立つと考えられる。また、血糖が不安定な患者に対しては自己測定した血糖値を入力することで、よりきめの細かい、しかもリアルタイムの指導を行うことができる。栄養指導に関しては、三食をそれぞれ携帯電話機のカメラで撮影し、それをホームページの画面に添付して送ることで、病院栄養士によるより正確なカロリー計算を行うことも可能である。
【００２５】
（４）気管支喘息管理
気管支喘息患者の管理には、ピークフロー値（患者がピークフローメータに呼気を吹き込んで測定する最大呼気流速度）という簡易な呼吸機能指標を日々測定し、その推移を薬物療法の評価や患者指導に利用する。通常は喘息日記に記載して、診察毎に医師がチェックを行うが、喘息は時として致死的になることがあるため、診察時では手遅れになることもある。そこでこの発明のシステムを用いて、ピークフロー値を日々入力・把握することで、不安定な患者の症状の悪化を早期に把握することが可能となる。
【００２６】
（５）疼痛の評価
種々の原因による疼痛も、主観的な要素が強い愁訴の代表である。疼痛についてはスコア化して疼痛日記などとして評価されることが多いが、例えば１日１回その日の代表値を記載するやり方では１日の平均値となり、メリハリに乏しくなる。これに対して、この発明のシステムを用いて、１日何回かリアルタイムで疼痛の程度値を入力することで、疼痛についての日内変動も含めたより詳細な情報を収集することができ、疼痛の悪化・寛解する他の状況との対比もし易くなる。このように、この発明のシステムは疼痛対策を立てる上でも有用性がある。
【００２７】
（６）薬剤の副作用チェック
薬剤には比較的希な副作用と、薬剤によって出現しやすい副作用とがある。後者の代表が、ウィルス性肝炎の治療に用いるインターフェロンによるうつ症状である。これはあまりに有名な副作用であるが、投与開始後どの時期から気分障害が発症するかについては、実証的なデータは極めて乏しい。そこで、投与開始後からこの発明のシステムを用いて気分の変動をモニターすることで、抑うつの早期発見をすることが期待できる。また、新規薬剤の治験時に用いることで、開発段階からより正確な副作用の把握を行うことが可能となる。
【００２８】
II．保健分野
老人保健分野では、この発明のシステムは、特に独居老人の健康維持、見守りに利用することができる。地域保健所などで対象者を一括登録し、１日に１回程度、体調を尋ねるメールを送る。対象者が多くなれば、問題となるような数値を入力・送信した対象者や、一定期間回答がない対象者などを自動的にピックアップするシステムを併用することで、管理者の大きな負担なく至急に連絡を取るべき対象者を選び出すことができる。高齢者は一般的に携帯電話機の扱いは不得手であるが、この発明のシステムにおける携帯電話機の操作は、ホームページ画面からの入力ゆえ簡便であり、また、高齢者用の携帯電話機を用いることで、ボタン操作の困難さなどは解消することができる。
【００２９】
III.福祉分野
障害者福祉の分野でも利用が期待できる。施設に入所していない障害者に対しては、日々継続的な見守りが必要であるが、この発明のシステムを用いることでそれが可能となる。障害者の場合、携帯電話機の操作が可能か懸念が持たれるが、この発明のシステムにおける携帯電話機の操作は、ホームページ画面からの入力ゆえ簡易であるため、携帯電話機の画面の文字を大きくし、入力項目を最小限とし、また必要に応じて高齢者用の携帯電話機を用いることで、十分に利用が可能となる。
【００３０】
IV．学校教育分野
不登校や引きこもり、あるいは大学生等の五月病対策にも利用することができる。入学時や新学期などに、何らかのスクリーニングをして、これらの状態に陥る危険性のある生徒や学生が特定できれば、そのような生徒・学生にこの発明のシステムを適用することで、不登校等の兆候の早期発見に用いることができる。引きこもりに陥った場合でも、この発明のシステムにおける携帯電話機で状態を入力して報告し続けてもらうことで、生徒・学生側に学校と繋がっているという意識が保たれ、また、休んでいる間でも普段の体調や精神状態等の推移を知ることができ、問題解決の糸口が発見できる可能性がある。
【００３１】
Ｖ．動物愛護分野
この発明のシステムはヒトのみならず、例えば病気にかかったペットの体調を獣医師に報告する方法としても利用できる。その際のメールの送信時刻は、ランダムでなく、定時送信でよいと思われる。全国的に見ても種々のペット愛好者は多く、その健康管理にはかなりの時間を割いていると考えられるため、この発明のシステムにおける携帯電話機で状態を入力することで容易に獣医師に状況報告ができると、利用者は相当数見込まれ、この分野での利用拡大が期待できる。
【００３２】
この発明のシステムは、単にデータ収集のみを行うのでなく、収集されたデータに応じて上記ネットワークサーバのメッセージメール送信部や緊急連絡メール送信部に、例えば用途別に一定のアルゴリズムに基づいて、利用者に役立つ内容のメールを送信させており、このような機能を本願発明者は「介入モデル」と呼ぶことにする。この介入モデルは、望ましい行動の強化と、危機的状況への介入の２つに大別される。
【００３３】
（１）望ましい行動の強化
禁煙行動、糖尿病における食事療法・運動療法などが適応例となる。いくら望ましい行動を続けても、担当医によってそれが評価され、強化されるのはおおむね数週間毎の受診時に限られる。その間の行動の確認とそれに対する医師からの強化メッセージはなく、このことが禁煙からの脱落、食事・運動療法の維持の困難さの要因の一つと考えられる。この発明のシステムではメッセージメール送信部が、一定期間望ましい行動が続いた際には、その行動を賞賛するメッセージを自動的にメールで送るようにプログラムされているので、望ましい行動の強化に役に立つ。
【００３４】
送られたメールは定型的で、例えそれが自動発信されたものであっても、患者は医療機関との繋がりを意識できるので、受診時毎の評価のみに比べると、望ましい行動のさらなる強化を十分に期待することができる。また、飲酒や食行動異常など望ましくない行動の減少を強化することも、プログラムを工夫すれば充分対応可能である。
【００３５】
（２）危機的状況への介入
抑うつ気分の急激な進行、血糖値の急激な上昇または低血糖の頻発、気管支喘息におけるピークフロー値の急激な低下、など致死的状況にいたることが予想される場合には、対象者に直接連絡を取り、可能な限り早期の介入を図ることが必要である。このためこの発明のシステムでは、管理者が遅滞なく介入可能なように、緊急連絡メール送信部が異常値を自動的に検出すべく情報を常時監視している。
【発明を実施するための最良の形態】
【００３６】
以下、本発明の実施の形態を実施例によって、図面に基づき詳細に説明する。ここに、図１は、この発明のサーバ制御プログラムの一実施例を用いた、この発明のリアルタイム情報収集・利用者支援システムの一実施例としてのリアルタイム主観的情報収集・患者支援システムの構成を示すブロック線図、図２は、その実施例のリアルタイム主観的情報収集・患者支援システムの作動を示すフローチャートである。
【００３７】
この実施例のリアルタイム主観的情報収集・患者支援システムは、頭痛を訴える患者の支援のために用いたもので、図１に示すように、当該システムの利用者である患者が携帯する、ネットワークの一種であるインターネットＩを介してホームページを閲覧可能な市販の通常の携帯電話機１と、市販の携帯電話機に対するメール通信が可能な、ネットワークサーバの一種である通常のインターネットサーバ２と、管理者としての、その患者の主治医が携帯する、これもインターネットＩを介してホームページを閲覧可能な市販の携帯電話機３とを具えており、そのインターネットサーバ２は、ＡＤＳＬや光通信等による高速通信が可能な高速通信用モデム２ａに加えて通常のコンピュータを有していて、あらかじめ与えられたプログラム（例えばマイクロソフト社のデータベースソフトウェアである商品名「Microsoft Access」など）に基づくそのコンピュータの作動により、機能的には、入力画面表示部２ｂと、データベース２ｃと、情報表示画面表示部２ｄと、情報変化状態監視部２ｅと、メッセージメール送信部２ｆと、催促メール送信部２ｇと、緊急連絡メール送信部２ｈとを有している。
【００３８】
ここで、入力画面表示部２ｂは、あらかじめメールアドレスを登録された携帯電話機１からの、上記患者についてあらかじめ例えばその患者の主治医からデータベース２ｃに登録された種類の、健康に関するその患者の主観的評価情報（頭痛の程度）の入力並びに情報出力命令の入力が可能な、例えば図３（ａ），（ｂ）に示す如き入力画面を所定アクセス先のアドレス（ＵＲＬ）の所定ホームページに表示して携帯電話機１で閲覧可能にする。この図３（ａ）に示す入力画面では、「０」と表示されている枠の右側の▽印のボタンを携帯電話機の操作で押すと図３（ｂ）に示すように０〜１０の数字が表示され、頭痛の程度に応じた数字を携帯電話機の操作で選択（図では「７」を選択）して押すとその数字がセットされるので、次に「送信」ボタンを携帯電話機の操作で選択して押すことで、頭痛の程度７という情報を入力して送信することができる。また、送信前に「リセット」ボタンを携帯電話機の操作で選択して押すことで、入力した情報をリセットすることができる。
【００３９】
そしてデータベース２ｃは、携帯電話機１を利用している患者の氏名、年齢等の識別情報（ＩＤ）とともに、その患者についての上記登録された健康に関する情報の種類に対応する検査番号と、携帯電話機１から上記入力画面に入力された主観的評価情報の数値およびその入力時点（日時等）を示す情報とを蓄積し、情報表示画面表示部２ｄは、例えばそのデータベース２ｃが蓄積した情報を時系列的に並べて数値で表した情報表示画面と、その蓄積した情報の経時的変化状態をグラフで表した情報表示画面とを上記所定ホームページで同一ページにまたは二ページに分けて表示するとともに、患者の携帯電話機１の上記入力画面の「履歴」の文字をその携帯電話機１の操作で選択して押すことでその入力画面に入力された情報出力命令または、上記主治医の持つ携帯電話機３から入力された情報出力命令に応じて、上記所定ホームページでの表示画面を上記入力画面から上記情報表示画面に切り替える。
【００４０】
さらに情報変化状態監視部２ｅは、データベース２ｃに蓄積された情報の経時的変化状態を常時監視して、上記あらかじめ登録された種類の健康に関してその変化状態を、あらかじめ基準を定められた複数種類の判定結果のうちの何れかに、その基準に基づいて判定し、メッセージメール送信部２ｆは、上記あらかじめ登録された種類の健康に関するあらかじめ蓄積した複数のメッセージのうちから、情報変化状態監視部２ｅが監視して判定した変化状態に応じた内容のメッセージを後述のように選択して、そのメッセージを含むメールを高速通信用モデム２ａを介して患者の携帯電話機１に送信し、催促メール送信部２ｇは、患者の携帯電話機１に、上記あらかじめ登録された種類の健康に関して情報取得が必要な所定タイミングで、上記所定アクセス先のホームページの、その患者に関してあらかじめ登録された前述の識別情報（ＩＤ）および健康に関する情報の種類（検査番号）に対応するその患者用の入力画面のアドレス（ＵＲＬ）を表示した情報催促メールを送信して、患者がそのアクセス先の文字を携帯電話機１の操作で選択して押すだけで、その入力画面が携帯電話機１の画面上に表示されるようにする。
なお、このような所定タイミングでの取得が必要な情報としては、例えば前述した糖尿病患者の場合の、朝食前および夕食前の血糖値およびインスリン注射量、朝食、昼食および夕食時後の食事量の評価、そして就寝前までの運動量（例えば歩数計で計測したその日の歩数）があり、また気管支喘息患者の場合の、起床時と昼時と夕方との発作の有無および程度と、起床時と夕方とのピークフロー値（ＰＥＦ）およびステロイド吸入回数があり、さらに、禁煙指導を行っている人の場合の、１日２〜３回の所定時のタバコを吸いたい気分の評価と、就寝前のその日に吸ったタバコの本数などがある。
【００４１】
そして緊急連絡メール送信部２ｈは、情報変化状態監視部２ｅが監視して判定した変化状態が上記主治医への緊急連絡が必要な変化状態の場合に、高速通信用モデム２ａを介して上記主治医の携帯電話機３に緊急連絡メールを送信する。
【００４２】
かかる実施例のリアルタイム主観的情報収集・患者支援システムは、図２に示す如く作動する。すなわち先ず、インターネットサーバ２の催促メール送信部２ｇが、上述の如きあらかじめ登録された種類の健康に関して情報取得が必要な所定タイミングで、すなわち例えば毎日、所定時間幅の中のランダムな時間に、上記所定アクセス先のホームページの入力画面のアドレス（ＵＲＬ）を表示した情報催促メールを患者の携帯電話機１に発信し（ステップＳ１）、患者の携帯電話機１がその情報催促メールを受信する（ステップＳ２）。これにより患者の操作で、患者の携帯電話機１がそのメールに表示されたホームページのＵＲＬをインターネットサーバ２に送信すると（ステップＳ３）、インターネットサーバ２の入力画面表示部２ｂがホームページ上の入力画面のデータを患者の携帯電話機１に送信し（ステップＳ４）、患者の携帯電話機１が画面上にそのホームページ上の、上記あらかじめ登録された種類の健康に関する情報の入力画面を表示する（ステップＳ５）。
【００４３】
これにより患者の操作で、患者の携帯電話機１が患者の主観的評価情報を数字で入力し、インターネットサーバ２に送信すると（ステップＳ６）、インターネットサーバ２のデータベース２ｃがそれを受信して、携帯電話機１を利用している患者の氏名、年齢等の識別情報とともに、携帯電話機１から上記入力画面に入力された主観的評価情報の数値とその入力時点を示す情報を蓄積する（ステップＳ７）。この情報の受信により、インターネットサーバ２の情報表示画面表示部２ｄは、例えばそのデータベース２ｃが蓄積した情報を時系列的に並べて数値で表した情報表示画面と、その蓄積した情報の経時的変化状態をグラフで表した情報表示画面とを上記所定ホームページで同一ページにまたは二ページに分けて表示するように、それらの情報表示画面を新規であれば作成し、既に作ってあれば更新して上記所定ホームページに表示する（ステップＳ８）。
【００４４】
そして患者の操作で、患者の携帯電話機１がホームページ上の入力画面から情報出力命令を入力し、インターネットサーバ２に送信すると（ステップＳ９）、インターネットサーバ２の情報表示画面表示部２ｄが、上記所定ホームページ上の表示画面を切り替えるために、上記作成または更新した情報表示画面のデータを患者の携帯電話機１に送信し（ステップＳ１０）、患者の携帯電話機１が画面上にそのホームページ上の画面として、例えば上記蓄積した情報の経時的変化状態をグラフで表した情報表示画面のみを表示する（ステップＳ１１）。また情報表示画面表示部２ｄは、上記主治医の携帯電話機３から情報出力命令が入力された場合にも（ステップＳ１２）、その情報出力命令に応じて、上記所定ホームページでの表示画面を上記入力画面から上記情報表示画面であって、例えば上記蓄積した情報を時系列的に並べて数値で表した情報表示画面とその蓄積した情報の経時的変化状態をグラフで表した情報表示画面とを二ページで持つような、主治医用のより詳細なものに切り替えて表示する（ステップＳ１３）。なお、パーソナルコンピュータから上記ホームページにアクセスする場合など、表示画面が広い場合には、例えば上記蓄積した情報を時系列的に並べて数値で表した情報表示画面とその蓄積した情報の経時的変化状態をグラフで表した情報表示画面とを一ページで表示することもできる。
【００４５】
さらに、インターネットサーバ２の情報変化状態監視部２ｅが、データベース２ｃに蓄積された情報の経時的変化状態を常時監視して、上記あらかじめ登録された種類の健康に関してその経時的変化状態を、例えば受信した数値が所定回数続けて所定の上側閾値以上大きかったら悪い変化、所定回数続けて所定の下側閾値以上小さかったら良い変化というように、あらかじめ基準を定められた複数種類の判定結果のうちの何れかにその基準に基づいて判定し（ステップＳ１５）、インターネットサーバ２のメッセージメール送信部２ｆが、上記あらかじめ登録された種類の健康に関するあらかじめ蓄積した複数のメッセージのうちからその判定された変化状態に応じてメッセージを選択して、良い変化の場合は例えば「良くできましたね」といった賞賛メールを患者の携帯電話機１に高速通信用モデム２ａを介して送信し（ステップＳ１６）、患者の携帯電話機１が画面上にその賞賛メールを表示する（ステップＳ１７）。また、悪い変化の場合は、さらに情報変化状態監視部２ｅが、上記主観的情報の受信により蓄積された情報の経時的変化状態から上記主治医への緊急連絡が必要な緊急事態であるか否かを、例えば受信した数値が所定の上限閾値以上大きいか否かで判定し（ステップＳ１８）、緊急事態でなければメッセージメール送信部２ｆが、例えば「がんばりましょう」といった励ましメールを患者の携帯電話機１に高速通信用モデム２ａを介して送信し（ステップＳ１９）、患者の携帯電話機１が画面上にその励ましメールを表示する（ステップＳ２０）。
【００４６】
この一方、情報変化状態監視部２ｅが、上記主治医への緊急連絡が必要であると判定した場合には、インターネットサーバ２の緊急連絡メール送信部２ｈが、その主治医に緊急対応を求めるために上記主治医の携帯電話機３に高速通信用モデム２ａを介して緊急連絡メールとしての緊急対応要請メールを送信し（ステップＳ２１）、主治医の携帯電話機３が画面上にその緊急対応要請メールを表示する（ステップＳ２２）。その際緊急連絡メール送信部２ｈはまた、患者を安心させるために患者の携帯電話機１に高速通信用モデム２ａを介して緊急連絡メールとしての緊急事態確認済メールを送信し（ステップＳ２３）、患者の携帯電話機１が画面上にその緊急事態確認済メールを表示する（ステップＳ２４）。
【００４７】
図４は、睡眠時間が短くなると夕方に疲れた感じが強くなる「印象」がある、という人に、この実施例のリアルタイム主観的情報収集・患者支援システムを用いて、睡眠時間（時間：朝入力）と、夕方の疲労感（１１段階評価：夕方入力）とを日々入力してもらった結果を示すグラフである。この図から明らかなように、睡眠時間が長ければ疲労感は低く、短くなれば疲労感が増大するという関係が容易に理解できる。この結果から、疲労感を少なくするためには、夜更かしをしないで、できるだけ睡眠時間を確保することが必要であるという指導を、単にそのような「印象」だけよりは、説得力をもって行うことができる。この実施例のリアルタイム主観的情報収集・患者支援システムの効果を如実に示した例である。
また、図５は、インターフェロン使用中の患者の抑うつ状態の変化を、この実施例のリアルタイム主観的情報収集・患者支援システムを用いてモニターした結果を示すグラフであり、図中矢印はインターフェロンの注射日を示す。このグラフから、インターフェロンの注射が患者のゆううつ感を強めることが判り、適切な対策をとることができる。
さらに、図６は、禁煙指導を受けている患者の喫煙衝動と１日の喫煙本数とを、この実施例のリアルタイム主観的情報収集・患者支援システムを用いてモニターした結果を示すグラフであり、治療にはニコチン貼付薬を使用している。このグラフから、喫煙衝動の推移が正確に判り、それを治療に反映させることができる。なお、上記ホームページは、この図６のように、複数の情報の経時的変化状態のグラフを並べて表示することもできる。
【００４８】
かくしてこの実施例のリアルタイム主観的情報収集・患者支援システムによれば、ＥＭＡ理論に基づき患者のその時々の信頼性の高い主観的評価情報をリアルタイムに時系列で収集し蓄積して患者および主治医にその時系列データをリアルタイムで提供することができ、さらにその蓄積した信頼性の高い主観的評価情報に基づく精度の高い診断結果を主治医から患者に提供することができる。また、情報入力および蓄積した情報の表示を市販の安価な携帯電話機１の画面に表示したホームページの画面上で行うので、携帯性に優れ、システムを低価格で構成でき、患者が児童や高齢者や障害者等の場合でも容易に情報入力および情報確認を行うことができる。そして主観的情報の収集・蓄積や経時的変化状態の監視はインターネットサーバ２側で行うので、プログラムの変更が必要な場合にインターネットサーバ２内のプログラム変更だけで済み、プログラムの変更を容易に行うことができる。
【００４９】
しかも、この実施例のリアルタイム主観的情報収集・患者支援システムによれば、患者からの主観的評価情報の経時的変化状態を監視し、その変化状態に応じた内容の賞賛メールや励ましメールを携帯電話機１に送信して患者の環境に介入するので、患者の治療の支援の効果を高めることができる。
【００５０】
さらに、この実施例のリアルタイム主観的情報収集・患者支援システムによれば、インターネットサーバ２は、あらかじめメールアドレスを登録された患者の携帯電話機１に上記あらかじめ登録された種類の健康に関して情報取得が必要な所定タイミングで、上記所定アクセス先のホームページの入力画面のアドレス（ＵＲＬ）を表示した情報催促メールを送信する催促メール送信部２ｇを具えているので、所定タイミングで患者から主観的評価情報を収集することができる。
【００５１】
そして、この実施例のリアルタイム主観的情報収集・患者支援システムによれば、催促メール送信部２ｇは、毎日、所定時間幅の中のランダムな時間に情報催促メールを送信するので、患者が待機して調整したのでない生の主観的情報を患者から得ることができる。
【００５２】
また、この実施例のリアルタイム主観的情報収集・患者支援システムによれば、情報表示画面表示部２ｄは、患者の携帯電話機１から情報出力命令を入力された場合の情報表示画面を、主治医から情報出力命令を入力された場合の情報表示画面と比較して簡易なものとするので、主治医は携帯電話機３の画面で詳細な情報を確認し得る一方、利用者は携帯電話機１の画面でいつでも容易に情報を確認することができる。
【００５３】
さらに、この実施例のリアルタイム主観的情報収集・患者支援システムによれば、インターネットサーバ２は、データベース２ｃに蓄積された主観的評価情報の経時的変化状態に基づき主治医への緊急連絡が必要か否かを判定する情報変化状態監視部２ｅと、その情報変化状態監視部２ｅが主治医への緊急連絡が必要と判定した場合に、あらかじめメールアドレスを登録された主治医の携帯電話機３に緊急連絡メールを送信する緊急連絡メール送信部２ｈとを有していることから、緊急時に主治医の携帯電話機３に自動的に緊急連絡メールを送信するので、主治医のコンピュータに送信する場合よりも早期にかつ確実に管理者に緊急事態を知らせることができる。
【００５４】
以上、図示例に基づき説明したが，この発明は上述の例に限定されるものでなく、特許請求の範囲の記載範囲内で適宜変更し得るものであり、例えば、入力画面表示部２ｂは、一送信で複数種類の情報の入力が可能な入力画面を表示するものであっても良く、このようにすれば、複数種類の情報を同時に収集し得て、患者の支援の効果をより高めることができる。また例えば入力画面表示部２ｂは、気分の把握のために数値でなくフェイススケールを用いて患者に選択させることで主観的情報を入力することもできる。さらに例えば入力画面表示部２ｂは、主観的情報に代えて、あるいはそれに加えて患者が器具を使って測定した健康に関する数値（例えばピークフロー値や血糖値など）を入力するものであっても良い。また、この発明のサーバ制御プログラムを、コンピュータで読み取り可能な情報記録媒体に記録しても良い。
【００５５】
さらに、上記実施例では通常の携帯電話機を用いたが、患者等の利用者は必ずしもサーバがある場所の外部に居るとは限らず、例えば精神病や過食・拒食症その他病院内に入院している患者或いは老人ホームや介護施設等で介護を受けながら生活する老人等には、看護士等が一人一人付くのが最も望ましいが人材不足の昨今、それを補うものとして、本システムの利用が考えられる。しかしこのような施設内では通常の携帯電話は電波による障害の恐れがあり使いづらい。そこで、例えば通信電波が通常の携帯電話機より微弱であるため機器への影響が少ないＰＨＳ電話機、あるいは無線ＬＡＮを搭載した携帯電話器等と、施設内のＬＡＮ（ローカルエリア・ネットワーク）等に接続されたネットワークサーバとによるこの発明のシステムの構成も有効である。
【産業上の利用可能性】
【００５６】
かくしてこの発明のリアルタイム情報収集・利用者支援システムおよびそれに用いられるサーバ制御プログラムによれば、以下の如き効果を得ることができる。
【００５７】
（携帯性）
従来のシステムは情報入力のための装置が腕時計型のものを除けばＰＤＡであっても携帯性には乏しく、ＥＭＡの最大の理念であるリアルタイムの入力を実現できない。その点、携帯電話機は携帯性に優れ、マナーモードを用いると、バイブレータ機能でメールの到着に気付き、どのような場所であっても情報の入力が可能である。
【００５８】
（導入の容易さ）
従来のシステムは情報入力のための装置の価格が数万円以上と高価であり、しかもＥＭＡ専用に近い利用となるため、それを購入することを患者等に期待することは困難である。管理者が購入して貸与するとしてもその台数は限られ、ＥＭＡの普及が進まないという大きな問題点があった。その点、携帯電話機は、既に多くの機種が市販されて広く普及しており、個人の携帯電話機を利用する場合、そのメールアドレスを知らせてもらうだけで容易に導入が可能である。利用のためには通信費用が必要となるが、毎日利用しても月に数百円程度の追加料金ですむため、この発明のシステムの利点を考え合わせると、その費用も概ね許容範囲と考えられる。
【００５９】
（通信機能）
従来のシステムの情報入力のための装置でも、通信アダプターを付けることで通信機能を付与することは可能であるが、それにも追加費用がかかり、また、通信のための回線費用をＥＭＡだけのために支払う必要が生じ、ほとんど現実的ではなかった。これに対しこの発明のシステムにおいては、利用者が入力したデータは直ちにネットワークサーバに格納されるため、管理者は必要に応じてそれに基づく行動を起こすことができる（介入モデル）。また、入力応答も日々確認できるため、入力が滞っている場合には遅滞なく入力を促すことができる。
【００６０】
（双方向性・見守り効果）
従来のシステムの情報入力のための装置は、それに内蔵されたプログラムによって入力時刻を知らせるアラームを鳴らして入力を促し、入力されたデータはその装置内に留まるため、利用者は、単に器機と対話しているだけというイメージを抱きかねない。これに対しこの発明のシステムでは、管理者からのメールが届き、利用者はそれに呼応して入力を行うため、そこに「交流」が生じる。メールは実際にはネットワークサーバから自動発信されるのであるが、利用者はこの「交流」に管理者との繋がりを感じ、日々「見守られている」という意識を抱くことができる。これは、特に社会的に弱い立場である障害者や高齢者にとっては非常に心強い味方を得ることになる。介入モデルを併用していることで、この効果はされに強化されている。
【００６１】
（利用者登録およびプログラム変更の容易さ）
従来のシステムでは、情報入力のための装置毎に利用者の登録を行わなければならず、プログラムの変更もまた、情報入力のための装置毎に行う必要があった。これでは利用装置が増えると非常に煩雑であり、即時性に欠ける。これに対しこの発明のシステムでは、利用者の登録、条件設定はネットワークサーバにて数分以内に行うことができる。個別に設定された条件やプログラムの変更もそのネットワークサーバ上で行うことができるため、情報入力のための装置の回収なくこれらを行うことができる。これは利用者数が増加した場合、特に効果を発揮する利点である。
【図面の簡単な説明】
【００６２】
【図１】この発明のサーバ制御プログラムの一実施例を用いた、この発明のリアルタイム情報収集・利用者支援システムの一実施例としてのリアルタイム主観的情報収集・患者支援システムの構成を示すブロック線図である。
【図２】上記実施例のリアルタイム主観的情報収集・患者支援システムの作動を示すフローチャートである。
【図３】（ａ），（ｂ）は、上記実施例のリアルタイム主観的情報収集・患者支援システムの入力画面の例を示す説明図である。
【図４】上記実施例のリアルタイム主観的情報収集・患者支援システムの適用結果の例を示すグラフである。
【図５】上記実施例のリアルタイム主観的情報収集・患者支援システムの適用結果の他の例を示すグラフである。
【図６】上記実施例のリアルタイム主観的情報収集・患者支援システムの適用結果のさらに他の例を示すグラフである。
【符号の説明】
【００６３】
１，３  携帯電話機
２  インターネットサーバ
２ａ  高速通信用モデム
２ｂ  入力画面表示部
２ｃ  データベース
２ｄ  情報表示画面表示部
２ｅ  情報変化状態監視部
２ｆ  メッセージメール送信部
２ｇ  催促メール送信部
２ｈ  緊急連絡メール送信部
Ｉ  インターネット
【国際調査報告】
2007023818.tif 000008
2007023818.tif 000009
2007023818.tif 000010
2007023818.tif 000011